(57)【要約】  本発明は、ネットワーク間協調方法、協調ノード及びネットワーク側デバイスを開示する。この方法は、異なる標準のセルの状態情報を取得し、状態情報は、異なる標準のセルの無線リソース状態、端末分布、及びサービス状況のうち少なくとも１つを示し、基地局又は基地局コントローラが協調指示情報に従ってネットワーク間協調動作を実行するために、状態情報に従って、協調指示情報を異なる標準のセルの基地局又は基地局コントローラに送信することを含む。本発明の実施例によるネットワーク間協調方法、協調ノード及びネットワーク側デバイスは、無線ネットワークリソースの利用率を最大化させることができ、従って、ネットワーク性能を改善することができる。
2016502334.tif 000002
【特許請求の範囲】
【請求項１】
異なる標準のセルの状態情報を取得するステップであり、前記状態情報は、前記異なる標準の前記セルの無線リソース状態、端末分布、及びサービス状況のうち少なくとも１つを示すステップと、
基地局又は基地局コントローラが協調指示情報に従ってネットワーク間協調動作を実行するために、前記状態情報に従って、協調指示情報を前記異なる標準の前記セルの基地局又は基地局コントローラに送信するステップと
を有するネットワーク間協調方法。
【請求項２】
異なる標準のセルの状態情報を取得するステップは、
前記基地局又は前記基地局コントローラにより周期的に送信される前記状態情報を受信するステップ、或いは、
無線リソース状態が変化したときに前記基地局又は前記基地局コントローラにより送信される前記状態情報を受信するステップ、或いは、
前記状態情報を要求する要求メッセージを前記基地局又は前記基地局コントローラに送信し、前記基地局又は前記基地局コントローラにより前記要求メッセージに応答することによって送信された前記状態情報を受信するステップ
を有する、請求項１に記載の方法。
【請求項３】
異なる標準のセルの状態情報を取得する前に、前記方法は、
前記基地局又は前記基地局コントローラを見つけて、前記基地局又は前記基地局コントローラとの接続を確立するステップを更に有する、請求項１又は２に記載の方法。
【請求項４】
前記協調指示情報は、周辺セルパラメータ、ハンドオーバ閾値、キャンピングパラメータ、電力パラメータ及び負荷閾値のうち少なくとも１つを有し、
前記状態情報に従って、協調指示情報を前記異なる標準の前記セルの基地局又は基地局コントローラに送信するステップは、
前記異なる標準の前記セルの無線リソースの利用率が第１の予め設定された閾値に到達した場合、前記協調指示情報を前記基地局又は前記基地局コントローラに送信するステップを有する、請求項１ないし３のうちいずれか１項に記載の方法。
【請求項５】
前記協調指示情報は、進化型基地局（eNodeB）の物理セルアイデンティティ（PCI）、eNodeBのランダムアクセスチャネル（RACH）系列、周辺セルパラメータ、ハンドオーバ閾値、キャンピングパラメータ、電力パラメータ及び負荷閾値のうち少なくとも１つを有し、
前記状態情報に従って、協調指示情報を前記異なる標準の前記セルの基地局又は基地局コントローラに送信するステップは、
ロング・ターム・エボリューション（LTE）セルの無線リソースの利用率が第２の予め設定された閾値に到達した場合、前記協調指示情報をeNodeBに送信するステップを有する、請求項１ないし３のうちいずれか１項に記載の方法。
【請求項６】
前記状態情報に従って、協調指示情報を前記異なる標準の前記セルの基地局又は基地局コントローラに送信するステップは、
前記異なる標準の前記セルがサービスベアラを調整するために、前記異なる標準の前記セルの無線リソース状態、ユーザ優先度及びサービス種別のうち少なくとも１つに従って、サービスベアラ調整指示を前記基地局又は前記基地局コントローラに送信するステップを有する、請求項１ないし３のうちいずれか１項に記載の方法。
【請求項７】
前記状態情報に従って、協調指示情報を前記異なる標準の前記セルの基地局又は基地局コントローラに送信するステップは、
LTEシステムのセルの負荷情報に従って、エッジユーザにより使用される周波数リソースを、負荷が予め設定された閾値より高いセルの基地局に送信するステップを有する、請求項１ないし３のうちいずれか１項に記載の方法。
【請求項８】
前記状態情報に従って、協調指示情報を前記異なる標準の前記セルの基地局又は基地局コントローラに送信するステップは、
前記異なる標準の前記セルの負荷状況に従って、周波数ポイントの一部のセル又は標準の一部のセルをシャットダウンする指示情報を前記基地局又は前記基地局コントローラに送信するステップ、或いは、シャットダウンされたセルを開始する指示情報を前記基地局又は前記基地局コントローラに送信するステップを有する、請求項１ないし３のうちいずれか１項に記載の方法。
【請求項９】
前記状態情報に従って、協調指示情報を前記異なる標準の前記セルの基地局又は基地局コントローラに送信するステップは、
LTEシステムのマクロ基地局及びマイクロ基地局のユーザサービス状況に従って、オールモスト・ブランク・サブフレーム（ABS）構成情報を前記マクロ基地局又は前記マイクロ基地局に送信するステップを有する、請求項１ないし３のうちいずれか１項に記載の方法。
【請求項１０】
前記状態情報に従って、協調指示情報を前記異なる標準の前記セルの基地局又は基地局コントローラに送信するステップは、
LTEシステムのセルのPCIコンフリクト状況に従って、コンフリクトしないPCIをPCIがコンフリクトするセルの基地局に送信するステップを有する、請求項１ないし３のうちいずれか１項に記載の方法。
【請求項１１】
LTE周辺セル関係に従ってGSM又はUMTS周辺セル関係を構成するステップ、或いは、
GSM周辺セル関係に従ってUMTS又はLTE周辺セル関係を構成するステップ、或いは、
UMTS周辺セル関係に従ってGSM又はLTE周辺セル関係を構成するステップ
を更に有する、請求項１ないし１０のうちいずれか１項に記載の方法。
【請求項１２】
協調ノードにより送信された協調指示情報を受信するステップであり、前記協調指示情報は、異なる標準のセルの状態情報に従って前記協調ノードにより決定され、前記状態情報は、前記異なる標準の前記セルの無線リソース状態、端末分布、及びサービス状況のうち少なくとも１つを示すステップと、
前記協調指示情報に従ってネットワーク間協調動作を実行するステップと
を有する方法。
【請求項１３】
協調ノードにより送信された協調指示情報を受信する前に、前記方法は、
前記状態情報を前記協調ノードに周期的に送信するステップ、或いは、
無線リソース状態が変化したときに前記状態情報を前記協調ノードに送信するステップ、或いは、
前記協調ノードにより送信された前記状態情報を要求する要求メッセージを受信し、前記要求メッセージに応答することにより前記状態情報を前記協調ノードに送信するステップ
を更に有する、請求項１２に記載の方法。
【請求項１４】
協調ノードにより送信された協調指示情報を受信する前に、前記方法は、
前記協調ノードを見つけて、前記協調ノードと接続を確立するステップを更に有する、請求項１２又は１３に記載の方法。
【請求項１５】
前記協調指示情報は、周辺セルパラメータ、ハンドオーバ閾値、キャンピングパラメータ、電力パラメータ及び負荷閾値のうち少なくとも１つを有し、
協調ノードにより送信された協調指示情報を受信するステップは、
前記異なる標準の前記セルの無線リソースの利用率が第１の予め設定された閾値に到達した場合、前記異なる標準の前記セルの基地局又は基地局コントローラにより、前記協調ノードにより送信された前記協調指示情報を受信するステップを有する、請求項１２ないし１４のうちいずれか１項に記載の方法。
【請求項１６】
前記協調指示情報は、進化型基地局（eNodeB）の物理セルアイデンティティ（PCI）、eNodeBのランダムアクセスチャネル（RACH）系列、周辺セルパラメータ、ハンドオーバ閾値、キャンピングパラメータ、電力パラメータ及び負荷閾値のうち少なくとも１つを有し、
協調ノードにより送信された協調指示情報を受信するステップは、
ロング・ターム・エボリューション（LTE）セルの無線リソースの利用率が第２の予め設定された閾値に到達した場合、eNodeBにより、前記協調ノードにより送信された前記協調指示情報を受信するステップを有する、請求項１２ないし１４のうちいずれか１項に記載の方法。
【請求項１７】
前記協調指示情報は、前記異なる標準の前記セルの無線リソース状態、ユーザ優先度及びサービス種別のうち少なくとも１つに従って前記協調ノードにより決定されたサービスベアラ調整指示を有し、
前記協調指示情報に従ってネットワーク間協調動作を実行するステップは、
前記協調指示情報に従ってサービスベアラを調整するステップを有する、請求項１２ないし１４のうちいずれか１項に記載の方法。
【請求項１８】
前記協調指示情報は、負荷が予め設定された閾値より高いセルの前記協調ノードによりLTEシステムのセルの負荷情報に従って決定された、エッジユーザにより使用される周波数リソースを有する、請求項１２ないし１４のうちいずれか１項に記載の方法。
【請求項１９】
前記協調指示情報は、前記異なる標準の前記セルの負荷状況に従って前記協調ノードにより送信された、周波数ポイントの一部のセル若しくは標準の一部のセルをシャットダウンする指示情報、又はシャットダウンされたセルを開始する指示情報を有する、請求項１２ないし１４のうちいずれか１項に記載の方法。
【請求項２０】
前記協調指示情報は、LTEシステムのマクロ基地局及びマイクロ基地局のユーザサービス状況に従って前記協調ノードにより決定されたオールモスト・ブランク・サブフレーム（ABS）構成情報を有する、請求項１２ないし１４のうちいずれか１項に記載の方法。
【請求項２１】
前記協調指示情報は、LTEシステムのセルのPCIコンフリクト状況に従って前記協調ノードにより決定されたコンフリクトしないPCIを有する、請求項１２ないし１４のうちいずれか１項に記載の方法。
【請求項２２】
異なる標準のセルの状態情報を取得するように適合された取得モジュールであり、前記状態情報は、前記異なる標準の前記セルの無線リソース状態、端末分布、及びサービス状況のうち少なくとも１つを示す取得モジュールと、
基地局又は基地局コントローラが協調指示情報に従ってネットワーク間協調動作を実行するために、前記状態情報に従って、協調指示情報を前記異なる標準の前記セルの基地局又は基地局コントローラに送信するように適合された送信モジュールと
を有する協調ノード。
【請求項２３】
前記取得モジュールは、前記基地局又は前記基地局コントローラにより周期的に送信される前記状態情報を受信するように、或いは、無線リソース状態が変化したときに前記基地局又は前記基地局コントローラにより送信される前記状態情報を受信するように、或いは、前記基地局又は前記基地局コントローラにより前記協調ノードの前記状態情報を要求する要求メッセージに応答することによって送信された前記状態情報を受信するように特に適合される、請求項２２に記載の協調ノード。
【請求項２４】
前記協調ノードは、前記基地局又は前記基地局コントローラを見つけて、前記基地局又は前記基地局コントローラとの接続を確立するように適合された接続確立モジュールを更に有する、請求項２２又は２３に記載の協調ノード。
【請求項２５】
前記協調指示情報は、周辺セルパラメータ、ハンドオーバ閾値、キャンピングパラメータ、電力パラメータ及び負荷閾値のうち少なくとも１つを有し、
前記送信モジュールは、前記異なる標準の前記セルの無線リソースの利用率が第１の予め設定された閾値に到達した場合、前記協調指示情報を前記基地局又は前記基地局コントローラに送信するように特に適合される、請求項２２ないし２４のうちいずれか１項に記載の協調ノード。
【請求項２６】
前記協調指示情報は、進化型基地局（eNodeB）の物理セルアイデンティティ（PCI）、eNodeBのランダムアクセスチャネル（RACH）系列、周辺セルパラメータ、ハンドオーバ閾値、キャンピングパラメータ、電力パラメータ及び負荷閾値のうち少なくとも１つを有し、
前記送信モジュールは、ロング・ターム・エボリューション（LTE）セルの無線リソースの利用率が第２の予め設定された閾値に到達した場合、前記協調指示情報をeNodeBに送信するように特に適合される、請求項２２ないし２４のうちいずれか１項に記載の協調ノード。
【請求項２７】
前記送信モジュールは、前記異なる標準の前記セルがサービスベアラを調整するために、前記異なる標準の前記セルの無線リソース状態、ユーザ優先度及びサービス種別のうち少なくとも１つに従って、サービスベアラ調整指示を前記基地局又は前記基地局コントローラに送信するように特に適合される、請求項２２ないし２４のうちいずれか１項に記載の協調ノード。
【請求項２８】
前記送信モジュールは、LTEシステムのセルの負荷情報に従って、エッジユーザにより使用される周波数リソースを、負荷が予め設定された閾値より高いセルの基地局に送信するように特に適合される、請求項２２ないし２４のうちいずれか１項に記載の協調ノード。
【請求項２９】
前記送信モジュールは、前記異なる標準の前記セルの負荷状況に従って、周波数ポイントの一部のセル又は標準の一部のセルをシャットダウンする指示情報を前記基地局又は前記基地局コントローラに送信するように、或いは、シャットダウンされたセルを開始する指示情報を前記基地局又は前記基地局コントローラに送信するように特に適合される、請求項２２ないし２４のうちいずれか１項に記載の協調ノード。
【請求項３０】
前記送信モジュールは、LTEシステムのマクロ基地局及びマイクロ基地局のユーザサービス状況に従って、オールモスト・ブランク・サブフレーム（ABS）構成情報を前記マクロ基地局又は前記マイクロ基地局に送信するように特に適合される、請求項２２ないし２４のうちいずれか１項に記載の協調ノード。
【請求項３１】
前記送信モジュールは、LTEシステムのセルのPCIコンフリクト状況に従って、コンフリクトしないPCIをPCIがコンフリクトするセルの基地局に送信するように特に適合される、請求項２２ないし２４のうちいずれか１項に記載の協調ノード。
【請求項３２】
前記協調ノードは、LTE周辺セル関係に従ってGSM又はUMTS周辺セル関係を構成するように、或いは、GSM周辺セル関係に従ってUMTS又はLTE周辺セル関係を構成するように、或いは、UMTS周辺セル関係に従ってGSM又はLTE周辺セル関係を構成するように適合された構成モジュールを更に有する、請求項２２ないし３１のうちいずれか１項に記載の協調ノード。
【請求項３３】
異なる標準のセルの基地局又は基地局コントローラであるネットワーク側デバイスであって、
協調ノードにより送信された協調指示情報を受信するように適合された受信モジュールであり、前記協調指示情報は、異なる標準のセルの状態情報に従って前記協調ノードにより決定され、前記状態情報は、前記異なる標準の前記セルの無線リソース状態、端末分布、及びサービス状況のうち少なくとも１つを示す受信モジュールと、
前記協調指示情報に従ってネットワーク間協調動作を実行するように適合された実行モジュールと
を有するネットワーク側デバイス。
【請求項３４】
前記状態情報を前記協調ノードに周期的に送信するように、或いは、無線リソース状態が変化したときに前記状態情報を前記協調ノードに送信するように、或いは、前記協調ノードの前記状態情報を要求する要求メッセージに応答することにより前記状態情報を前記協調ノードに送信するように適合された送信モジュールを更に有する、請求項３３に記載のネットワーク側デバイス。
【請求項３５】
前記協調ノードを見つけて、前記協調ノードと接続を確立するように適合された接続確立モジュールを更に有する、請求項３３又は３４に記載のネットワーク側デバイス。
【請求項３６】
前記協調指示情報は、周辺セルパラメータ、ハンドオーバ閾値、キャンピングパラメータ、電力パラメータ及び負荷閾値のうち少なくとも１つを有し、
前記受信モジュールは、前記異なる標準の前記セルの無線リソースの利用率が第１の予め設定された閾値に到達した場合、前記協調ノードにより送信された前記協調指示情報を受信するように特に適合される、請求項３３ないし３５のうちいずれか１項に記載のネットワーク側デバイス。
【請求項３７】
前記協調指示情報は、進化型基地局（eNodeB）の物理セルアイデンティティ（PCI）、eNodeBのランダムアクセスチャネル（RACH）系列、周辺セルパラメータ、ハンドオーバ閾値、キャンピングパラメータ、電力パラメータ及び負荷閾値のうち少なくとも１つを有し、
前記ネットワーク側デバイスは、eNodeBであり、
前記受信モジュールは、ロング・ターム・エボリューション（LTE）セルの無線リソースの利用率が第２の予め設定された閾値に到達した場合、前記協調ノードにより送信された前記協調指示情報を受信するように特に適合される、請求項３３ないし３５のうちいずれか１項に記載のネットワーク側デバイス。
【請求項３８】
前記協調指示情報は、前記異なる標準の前記セルの無線リソース状態、ユーザ優先度及びサービス種別のうち少なくとも１つに従って前記協調ノードにより決定されたサービスベアラ調整指示を有し、
前記実行モジュールは、前記協調指示情報に従ってサービスベアラを調整するように特に適合される、請求項３３ないし３５のうちいずれか１項に記載のネットワーク側デバイス。
【請求項３９】
前記協調指示情報は、負荷が予め設定された閾値より高いセルの前記協調ノードによりLTEシステムのセルの負荷情報に従って決定された、エッジユーザにより使用される周波数リソースを有する、請求項３３ないし３５のうちいずれか１項に記載のネットワーク側デバイス。
【請求項４０】
前記協調指示情報は、前記異なる標準の前記セルの負荷状況に従って前記協調ノードにより送信された、周波数ポイントの一部のセル若しくは標準の一部のセルをシャットダウンする指示情報、又はシャットダウンされたセルを開始する指示情報を有する、請求項３３ないし３５のうちいずれか１項に記載のネットワーク側デバイス。
【請求項４１】
前記協調指示情報は、LTEシステムのマクロ基地局及びマイクロ基地局のユーザサービス状況に従って前記協調ノードにより決定されたオールモスト・ブランク・サブフレーム（ABS）構成情報を有する、請求項３３ないし３５のうちいずれか１項に記載のネットワーク側デバイス。
【請求項４２】
前記協調指示情報は、LTEシステムのセルのPCIコンフリクト状況に従って前記協調ノードにより決定されたコンフリクトしないPCIを有する、請求項３３ないし３５のうちいずれか１項に記載のネットワーク側デバイス。
【請求項４３】
異なる標準のセルの状態情報を取得するように構成された受信機であり、前記状態情報は、前記異なる標準の前記セルの無線リソース状態、端末分布、及びサービス状況のうち少なくとも１つを示す受信機と、
前記状態情報に従って、協調指示情報を決定するように構成されたプロセッサと、
基地局又は基地局コントローラが前記協調指示情報に従ってネットワーク間協調動作を実行するために、前記協調指示情報を前記異なる標準の前記セルの基地局又は基地局コントローラに送信するように構成された送信機と
を有する協調ノード。
【請求項４４】
前記受信機は、前記基地局又は前記基地局コントローラにより周期的に送信される前記状態情報を受信するように、或いは、無線リソース状態が変化したときに前記基地局又は前記基地局コントローラにより送信される前記状態情報を受信するように、或いは、前記基地局又は前記基地局コントローラにより前記協調ノードの前記状態情報を要求する要求メッセージに応答することによって送信された前記状態情報を受信するように特に構成される、請求項４３に記載の協調ノード。
【請求項４５】
前記プロセッサは、前記基地局又は前記基地局コントローラを見つけて、前記基地局又は前記基地局コントローラとの接続を確立するように更に構成される、請求項４３又は４４に記載の協調ノード。
【請求項４６】
前記協調指示情報は、周辺セルパラメータ、ハンドオーバ閾値、キャンピングパラメータ、電力パラメータ及び負荷閾値のうち少なくとも１つを有し、
前記プロセッサは、前記異なる標準の前記セルの無線リソースの利用率が第１の予め設定された閾値に到達した場合、前記協調指示情報を決定するように特に構成される、請求項４３ないし４５のうちいずれか１項に記載の協調ノード。
【請求項４７】
前記協調指示情報は、進化型基地局（eNodeB）の物理セルアイデンティティ（PCI）、eNodeBのランダムアクセスチャネル（RACH）系列、周辺セルパラメータ、ハンドオーバ閾値、キャンピングパラメータ、電力パラメータ及び負荷閾値のうち少なくとも１つを有し、
前記プロセッサは、ロング・ターム・エボリューション（LTE）セルの無線リソースの利用率が第２の予め設定された閾値に到達した場合、前記協調指示情報を決定するように特に構成され、
前記送信機は、前記協調指示情報をeNodeBに送信するように特に構成される、請求項４３ないし４５のうちいずれか１項に記載の協調ノード。
【請求項４８】
前記プロセッサは、前記異なる標準の前記セルの無線リソース状態、ユーザ優先度及びサービス種別のうち少なくとも１つに従って、サービスベアラ調整指示を決定するように特に構成され、
前記送信機は、前記異なる標準の前記セルがサービスベアラを調整するために、前記サービスベアラ調整指示を前記基地局又は前記基地局コントローラに送信するように特に構成される、請求項４３ないし４５のうちいずれか１項に記載の協調ノード。
【請求項４９】
前記プロセッサは、LTEシステムのセルの負荷情報に従って、負荷が予め設定された閾値より高いセルのエッジユーザにより使用される周波数リソースを決定するように特に構成され、
前記送信機は、前記エッジユーザにより使用される前記周波数リソースを、前記負荷が前記予め設定された閾値より高い前記セルの基地局に送信するように特に構成される、請求項４３ないし４５のうちいずれか１項に記載の協調ノード。
【請求項５０】
前記プロセッサは、前記異なる標準の前記セルの負荷状況に従って、周波数ポイントの一部のセル若しくは標準の一部のセルをシャットダウンする指示情報、又はシャットダウンされたセルを開始する指示情報を決定するように特に構成され、
前記送信機は、周波数ポイントの一部のセル若しくは標準の一部のセルをシャットダウンする前記指示情報を前記基地局又は前記基地局コントローラに送信するように、或いは、シャットダウンされたセルを開始する前記指示情報を前記基地局又は前記基地局コントローラに送信するように特に構成される、請求項４３ないし４５のうちいずれか１項に記載の協調ノード。
【請求項５１】
前記プロセッサは、LTEシステムのマクロ基地局及びマイクロ基地局のユーザサービス状況に従って、オールモスト・ブランク・サブフレーム（ABS）構成情報を決定するように特に構成され、
前記送信機は、前記ABS構成情報を前記マクロ基地局又は前記マイクロ基地局に送信するように特に構成される、請求項４３ないし４５のうちいずれか１項に記載の協調ノード。
【請求項５２】
前記プロセッサは、LTEシステムのセルのPCIコンフリクト状況に従って、PCIがコンフリクトするセルのためのコンフリクトしないPCIを決定するように特に構成され、
前記送信機は、前記コンフリクトしないPCIを前記PCIがコンフリクトするセルの基地局に送信するように特に構成される、請求項４３ないし４５のうちいずれか１項に記載の協調ノード。
【請求項５３】
前記プロセッサは、LTE周辺セル関係に従ってGSM又はUMTS周辺セル関係を構成するように、或いは、GSM周辺セル関係に従ってUMTS又はLTE周辺セル関係を構成するように、或いは、UMTS周辺セル関係に従ってGSM又はLTE周辺セル関係を構成するように更に構成される、請求項４３ないし５２のうちいずれか１項に記載の協調ノード。
【請求項５４】
異なる標準のセルの基地局又は基地局コントローラであるネットワーク側デバイスであって、
協調ノードにより送信された協調指示情報を受信するように構成された受信機であり、前記協調指示情報は、異なる標準のセルの状態情報に従って前記協調ノードにより決定され、前記状態情報は、前記異なる標準の前記セルの無線リソース状態、端末分布、及びサービス状況のうち少なくとも１つを示す受信機と、
前記協調指示情報に従ってネットワーク間協調動作を実行するように構成されたプロセッサと
を有するネットワーク側デバイス。
【請求項５５】
前記ネットワーク側デバイスは、前記状態情報を前記協調ノードに周期的に送信するように、或いは、無線リソース状態が変化したときに前記状態情報を前記協調ノードに送信するように、或いは、前記協調ノードの前記状態情報を要求する要求メッセージに応答することにより前記状態情報を前記協調ノードに送信するように構成された送信機を更に有する、請求項５４に記載のネットワーク側デバイス。
【請求項５６】
前記プロセッサは、前記協調ノードを見つけて、前記協調ノードと接続を確立するように更に構成される、請求項５４又は５５に記載のネットワーク側デバイス。
【請求項５７】
前記協調指示情報は、周辺セルパラメータ、ハンドオーバ閾値、キャンピングパラメータ、電力パラメータ及び負荷閾値のうち少なくとも１つを有し、
前記受信機は、前記異なる標準の前記セルの無線リソースの利用率が第１の予め設定された閾値に到達した場合、前記協調ノードにより送信された前記協調指示情報を受信するように特に構成される、請求項５４ないし５６のうちいずれか１項に記載のネットワーク側デバイス。
【請求項５８】
前記協調指示情報は、進化型基地局（eNodeB）の物理セルアイデンティティ（PCI）、eNodeBのランダムアクセスチャネル（RACH）系列、周辺セルパラメータ、ハンドオーバ閾値、キャンピングパラメータ、電力パラメータ及び負荷閾値のうち少なくとも１つを有し、
前記ネットワーク側デバイスは、eNodeBであり、
前記受信機は、ロング・ターム・エボリューション（LTE）セルの無線リソースの利用率が第２の予め設定された閾値に到達した場合、前記協調ノードにより送信された前記協調指示情報を受信するように特に構成される、請求項５４ないし５６のうちいずれか１項に記載のネットワーク側デバイス。
【請求項５９】
前記協調指示情報は、前記異なる標準の前記セルの無線リソース状態、ユーザ優先度及びサービス種別のうち少なくとも１つに従って前記協調ノードにより決定されたサービスベアラ調整指示を有し、
前記プロセッサは、前記協調指示情報に従ってサービスベアラを調整するように特に構成される、請求項５４ないし５６のうちいずれか１項に記載のネットワーク側デバイス。
【請求項６０】
前記協調指示情報は、負荷が予め設定された閾値より高いセルの前記協調ノードによりLTEシステムのセルの負荷情報に従って決定された、エッジユーザにより使用される周波数リソースを有する、請求項５４ないし５６のうちいずれか１項に記載のネットワーク側デバイス。
【請求項６１】
前記協調指示情報は、前記異なる標準の前記セルの負荷状況に従って前記協調ノードにより送信された、周波数ポイントの一部のセル若しくは標準の一部のセルをシャットダウンする指示情報、又はシャットダウンされたセルを開始する指示情報を有する、請求項５４ないし５６のうちいずれか１項に記載のネットワーク側デバイス。
【請求項６２】
前記協調指示情報は、LTEシステムのマクロ基地局及びマイクロ基地局のユーザサービス状況に従って前記協調ノードにより決定されたオールモスト・ブランク・サブフレーム（ABS）構成情報を有する、請求項５４ないし５６のうちいずれか１項に記載のネットワーク側デバイス。
【請求項６３】
前記協調指示情報は、LTEシステムのセルのPCIコンフリクト状況に従って前記協調ノードにより決定されたコンフリクトしないPCIを有する、請求項５４ないし５６のうちいずれか１項に記載のネットワーク側デバイス。
【発明の詳細な説明】
【技術分野】
【０００１】
本発明は、通信の分野に関し、特にネットワーク間協調のための方法、協調ノード及びネットワーク側デバイスに関する。
【背景技術】
【０００２】
モバイルインテリジェント端末の大規模な適用と、無線通信帯域幅の増え続ける需要とにより、無線通信の分野は、新たな通信標準及びネットワーキング形態を次第に導入している。更に多くのオペレータは、グローバル・システム・フォー・モバイル・コミュニケーションズ（Global  System  of  Mobile  communication、略してGSM）、ユニバーサル・モバイル・テレコミュニケーションズ・システム（Universal  Mobile  Telecommunication  System、略してUMTS）及びロング・ターム・エボリューション（Long  Term  Evolution、略してLTE）を含むマルチ標準のマクロ・マイクロ・マルチレイヤネットワークの並列動作の姿勢を形成している。GSM及びUMSの３レイヤのアーキテクチャとは異なり、LTEのフラットなアーキテクチャでは、中央制御ノード（すなわち、基地局コントローラ）は取り消される。従って、一方では、LTE基地局の間の協調のためにX2インタフェースが導入される必要がある。このことは、LTEの単一の基地局の間の接続の数を５倍より多く増加させるが、リソースは依然としてネットワークレイヤで最適化できない。他方で、リソース使用状態は、LTE、GSM及びUMTSの間で効率的に交換できず、このことはまた、GSM、UMTS及びLTEでの１つのネットワークのキャパシティの最大化及び性能の最適化を制限する。ホットスポットエリアのマクロ・マイクロ・ネットワーキングの場合、小型局が主にマクロネットワークのマルチレイヤのカバレッジエリアに配置され、ネットワークキャパシティ及び端末顧客の経験を最も効率的に改善するために、複数の小型局とマルチレイヤのマクロネットワークとの間で効率的な協調が実行される必要がある。
【０００３】
従来技術では、最適な使用のためにeNodeBの間の無線リソースを協調させるため、リソース及び状態情報は、LTEの進化型基地局（Evolutional  Node  B、略してeNodeB）の間のX2インタフェースを通じて交換される。無線リソース及び状態情報は、LTEとGSM及びUMTSとの間の無線アクセスネットワーク（Radio  Access  Network、略してRAN）情報管理（RAN  Information  Management、略してRIM）シグナリングインタフェースを通じて交換される。無線リソース及び状態情報は、これらのインタフェースを通じてリソース使用の協調及び最適化を実行するために、GSMとUMTSとの間のIur-Gを通じて交換される。LTE  eNodeBの間のX2インタフェースを通じて無線リソース協調を実行するために、多数のX2インタフェースが各eNodeBに構成される必要があり、リソース協調の効率がX2インタフェース構成の精度及び効率にかなり依存することをもたらす。他方、各eNodeBは、情報発行元だけではなく、情報の収束分析エンティティでもあるため、情報交換は複雑であり、協調は困難である。RIMメッセージを使用することにより、セルレベルのシグナリング送信が主にLTEとGSM及びUMTSとの間で実行され、LTE  eNodeBは、リソース協調分析及び判断を実行するために、GSM及びUMTSのネットワークリソースの状況を取得する。コントローラ内でGSM及びUMTSのリソース協調分析及び判断を実行するために、シグナリング送信がコントローラのIur-Gインタフェースを通じてGSMとUMTSとの間で実行される。リソース協調分析及び分析は、異なるアーキテクチャの異なるエンティティを使用することにより、LTE、GSM及びUMTSの間で別々に実行される。状態の交換の後に、標準は評価を別々に行うため、統一されたノードにおいて全体ネットワークの傾向及び瞬時の変化を認識することができず、単一の標準が最適になるが、全体ネットワークは最適でなく、ネットワーク性能及びユーザ経験を改善するためにネットワークリソースが十分に使用できないという場合を生じる。無線リソース状態は、コアネットワークを通じて交換され、リソース協調は、無線ネットワークにおいて実施されず、コアネットワークと無線ネットワークとの間の密結合を形成する。このことは、バージョン更新において更なる不透明要因を引き起こし、ネットワークの安定性にとって良くない。
【発明の概要】
【０００４】
本発明の実施例は、ネットワーク性能を改善することができるネットワーク間協調のための方法、協調ノード及びネットワーク側デバイスを提供する。
【０００５】
第１の態様によれば、ネットワーク間協調方法が提供され、異なる標準のセルの状態情報を取得し、状態情報は、異なる標準のセルの無線リソース状態、端末分布、及びサービス状況のうち少なくとも１つを示し、基地局又は基地局コントローラが協調指示情報に従ってネットワーク間協調動作を実行するために、状態情報に従って、協調指示情報を異なる標準のセルの基地局又は基地局コントローラに送信することを含む。
【０００６】
第１の可能な実現方式では、異なる標準のセルの状態情報を取得することは、基地局又は基地局コントローラにより周期的に送信される状態情報を受信すること、或いは、無線リソース状態が変化したときに基地局又は基地局コントローラにより送信される状態情報を受信すること、或いは、状態情報を要求する要求メッセージを基地局又は基地局コントローラに送信し、基地局又は基地局コントローラにより要求メッセージに応答することによって送信された状態情報を受信することを含む。
【０００７】
第２の可能な実現方式では、第１の態様又は第１の態様の第１の可能な実現方式を参照して、異なる標準のセルの状態情報を取得する前に、この方法は、基地局又は基地局コントローラを見つけて、基地局又は基地局コントローラとの接続を確立することを更に含む。
【０００８】
第３の可能な実現方式では、第１の態様又は第１の態様の第１若しくは第２の可能な実現方式を参照して、協調指示情報は、周辺セルパラメータ、ハンドオーバ閾値、キャンピングパラメータ、電力パラメータ及び負荷閾値のうち少なくとも１つを含み、状態情報に従って、協調指示情報を異なる標準のセルの基地局又は基地局コントローラに送信することは、異なる標準のセルの無線リソースの利用率が第１の予め設定された閾値に到達した場合、協調指示情報を基地局又は基地局コントローラに送信することを含む。
【０００９】
第４の可能な実現方式では、第１の態様又は第１の態様の第１若しくは第２の可能な実現方式を参照して、協調指示情報は、進化型基地局（eNodeB）の物理セルアイデンティティ（Physical  Cell  ID、略してPCI）、eNodeBのランダムアクセスチャネル（Random  Access  Channel、略してRACH）系列、周辺セルパラメータ、ハンドオーバ閾値、キャンピングパラメータ、電力パラメータ及び負荷閾値のうち少なくとも１つを含み、状態情報に従って、協調指示情報を異なる標準のセルの基地局又は基地局コントローラに送信することは、ロング・ターム・エボリューション（LTE）セルの無線リソースの利用率が第２の予め設定された閾値に到達した場合、協調指示情報をeNodeBに送信することを含む。
【００１０】
第５の可能な実現方式では、第１の態様又は第１の態様の第１若しくは第２の可能な実現方式を参照して、状態情報に従って、協調指示情報を異なる標準のセルの基地局又は基地局コントローラに送信することは、異なる標準のセルがサービスベアラを調整するために、異なる標準のセルの無線リソース状態、ユーザ優先度及びサービス種別のうち少なくとも１つに従って、サービスベアラ調整指示を基地局又は基地局コントローラに送信することを含む。
【００１１】
第６の可能な実現方式では、第１の態様又は第１の態様の第１若しくは第２の可能な実現方式を参照して、状態情報に従って、協調指示情報を異なる標準のセルの基地局又は基地局コントローラに送信することは、LTEシステムのセルの負荷情報に従って、エッジユーザにより使用される周波数リソースを、負荷が予め設定された閾値より高いセルの基地局に送信することを含む。
【００１２】
第７の可能な実現方式では、第１の態様又は第１の態様の第１若しくは第２の可能な実現方式を参照して、状態情報に従って、協調指示情報を異なる標準のセルの基地局又は基地局コントローラに送信することは、異なる標準のセルの負荷状況に従って、周波数ポイントの一部のセル又は標準の一部のセルをシャットダウンする指示情報を基地局又は基地局コントローラに送信すること、或いは、シャットダウンされたセルを開始する指示情報を基地局又は基地局コントローラに送信することを含む。
【００１３】
第８の可能な実現方式では、第１の態様又は第１の態様の第１若しくは第２の可能な実現方式を参照して、状態情報に従って、協調指示情報を異なる標準のセルの基地局又は基地局コントローラに送信することは、LTEシステムのマクロ基地局及びマイクロ基地局のユーザサービス状況に従って、オールモスト・ブランク・サブフレーム（Almost  Blank  Sub-Frame、略してABS）構成情報をマクロ基地局又はマイクロ基地局に送信することを含む。
【００１４】
第９の可能な実現方式では、第１の態様又は第１の態様の第１若しくは第２の可能な実現方式を参照して、状態情報に従って、協調指示情報を異なる標準のセルの基地局又は基地局コントローラに送信することは、LTEシステムのセルのPCIコンフリクト状況に従って、コンフリクトしないPCIをPCIがコンフリクトするセルの基地局に送信することを含む。
【００１５】
第１０の可能な実現方式では、第１の態様又は第１の態様の第１ないし第９の可能な実現方式のいずれか１つを参照して、この方法は、LTE周辺セル関係に従ってGSM又はUMTS周辺セル関係を構成すること、或いは、GSM周辺セル関係に従ってUMTS又はLTE周辺セル関係を構成すること、或いは、UMTS周辺セル関係に従ってGSM又はLTE周辺セル関係を構成することを更に含む。
【００１６】
第２の態様によれば、ネットワーク間協調方法が提供され、協調ノードにより送信された協調指示情報を受信し、協調指示情報は、異なる標準のセルの状態情報に従って協調ノードにより決定され、状態情報は、異なる標準のセルの無線リソース状態、端末分布、及びサービス状況のうち少なくとも１つを示し、協調指示情報に従ってネットワーク間協調動作を実行することを含む。
【００１７】
第１の可能な実現方式では、協調ノードにより送信された協調指示情報を受信する前に、この方法は、状態情報を協調ノードに周期的に送信すること、或いは、無線リソース状態が変化したときに状態情報を協調ノードに送信すること、或いは、協調ノードにより送信された状態情報を要求する要求メッセージを受信し、要求メッセージに応答することにより状態情報を協調ノードに送信することを更に含む。
【００１８】
第２の可能な実現方式では、第２の態様又は第２の態様の第１の可能な実現方式を参照して、協調ノードにより送信された協調指示情報を受信する前に、この方法は、協調ノードを見つけて、協調ノードと接続を確立することを更に含む。
【００１９】
第３の可能な実現方式では、第２の態様又は第２の態様の第１若しくは第２の可能な実現方式を参照して、協調指示情報は、周辺セルパラメータ、ハンドオーバ閾値、キャンピングパラメータ、電力パラメータ及び負荷閾値のうち少なくとも１つを含み、協調ノードにより送信された協調指示情報を受信することは、異なる標準のセルの無線リソースの利用率が第１の予め設定された閾値に到達した場合、異なる標準のセルの基地局又は基地局コントローラにより、協調ノードにより送信された協調指示情報を受信することを含む。
【００２０】
第４の可能な実現方式では、第２の態様又は第２の態様の第１若しくは第２の可能な実現方式を参照して、協調指示情報は、進化型基地局（eNodeB）の物理セルアイデンティティ（PCI）、eNodeBのランダムアクセスチャネル（RACH）系列、周辺セルパラメータ、ハンドオーバ閾値、キャンピングパラメータ、電力パラメータ及び負荷閾値のうち少なくとも１つを含み、協調ノードにより送信された協調指示情報を受信することは、ロング・ターム・エボリューション（LTE）セルの無線リソースの利用率が第２の予め設定された閾値に到達した場合、eNodeBにより、協調ノードにより送信された協調指示情報を受信することを含む。
【００２１】
第５の可能な実現方式では、第２の態様又は第２の態様の第１若しくは第２の可能な実現方式を参照して、協調指示情報は、異なる標準のセルの無線リソース状態、ユーザ優先度及びサービス種別のうち少なくとも１つに従って協調ノードにより決定されたサービスベアラ調整指示を含み、協調指示情報に従ってネットワーク間協調動作を実行することは、協調指示情報に従ってサービスベアラを調整することを含む。
【００２２】
第６の可能な実現方式では、第２の態様又は第２の態様の第１若しくは第２の可能な実現方式を参照して、協調指示情報は、負荷が予め設定された閾値より高いセルの協調ノードによりLTEシステムのセルの負荷情報に従って決定された、エッジユーザにより使用される周波数リソースを含む。
【００２３】
第７の可能な実現方式では、第２の態様又は第２の態様の第１若しくは第２の可能な実現方式を参照して、協調指示情報は、異なる標準のセルの負荷状況に従って協調ノードにより送信された、周波数ポイントの一部のセル若しくは標準の一部のセルをシャットダウンする指示情報、又はシャットダウンされたセルを開始する指示情報を含む。
【００２４】
第８の可能な実現方式では、第２の態様又は第２の態様の第１若しくは第２の可能な実現方式を参照して、協調指示情報は、LTEシステムのマクロ基地局及びマイクロ基地局のユーザサービス状況に従って協調ノードにより決定されたオールモスト・ブランク・サブフレーム（ABS）構成情報を含む。
【００２５】
第９の可能な実現方式では、第２の態様又は第２の態様の第１若しくは第２の可能な実現方式を参照して、協調指示情報は、LTEシステムのセルのPCIコンフリクト状況に従って協調ノードにより決定されたコンフリクトしないPCIを含む。
【００２６】
第３の態様によれば、協調ノードが提供され、異なる標準のセルの状態情報を取得するように構成された取得モジュールであり、状態情報は、異なる標準のセルの無線リソース状態、端末分布、及びサービス状況のうち少なくとも１つを示す取得モジュールと、基地局又は基地局コントローラが協調指示情報に従ってネットワーク間協調動作を実行するために、状態情報に従って、協調指示情報を異なる標準のセルの基地局又は基地局コントローラに送信するように構成された送信モジュールとを含む。
【００２７】
第１の可能な実現方式では、取得モジュールは、基地局又は基地局コントローラにより周期的に送信される状態情報を受信するように、或いは、無線リソース状態が変化したときに基地局又は基地局コントローラにより送信される状態情報を受信するように、或いは、基地局又は基地局コントローラにより協調ノードの状態情報を要求する要求メッセージに応答することによって送信された状態情報を受信するように特に構成される。
【００２８】
第２の可能な実現方式では、第３の態様又は第３の態様の第１の可能な実現方式を参照して、協調ノードは、基地局又は基地局コントローラを見つけて、基地局又は基地局コントローラとの接続を確立する接続確立モジュールを更に含む。
【００２９】
第３の可能な実現方式では、第３の態様又は第３の態様の第１若しくは第２の可能な実現方式を参照して、協調指示情報は、周辺セルパラメータ、ハンドオーバ閾値、キャンピングパラメータ、電力パラメータ及び負荷閾値のうち少なくとも１つを含み、送信モジュールは、異なる標準のセルの無線リソースの利用率が第１の予め設定された閾値に到達した場合、協調指示情報を基地局又は基地局コントローラに送信するように特に構成される。
【００３０】
第４の可能な実現方式では、第３の態様又は第３の態様の第１若しくは第２の可能な実現方式を参照して、協調指示情報は、進化型基地局（eNodeB）の物理セルアイデンティティ（PCI）、eNodeBのランダムアクセスチャネル（RACH）系列、周辺セルパラメータ、ハンドオーバ閾値、キャンピングパラメータ、電力パラメータ及び負荷閾値のうち少なくとも１つを含み、送信モジュールは、ロング・ターム・エボリューション（LTE）セルの無線リソースの利用率が第２の予め設定された閾値に到達した場合、協調指示情報をeNodeBに送信するように特に構成される。
【００３１】
第５の可能な実現方式では、第３の態様又は第３の態様の第１若しくは第２の可能な実現方式を参照して、送信モジュールは、異なる標準のセルがサービスベアラを調整するために、異なる標準のセルの無線リソース状態、ユーザ優先度及びサービス種別のうち少なくとも１つに従って、サービスベアラ調整指示を基地局又は基地局コントローラに送信するように特に構成される。
【００３２】
第６の可能な実現方式では、第３の態様又は第３の態様の第１若しくは第２の可能な実現方式を参照して、送信モジュールは、LTEシステムのセルの負荷情報に従って、エッジユーザにより使用される周波数リソースを、負荷が予め設定された閾値より高いセルの基地局に送信するように特に構成される。
【００３３】
第７の可能な実現方式では、第３の態様又は第３の態様の第１若しくは第２の可能な実現方式を参照して、送信モジュールは、異なる標準のセルの負荷状況に従って、周波数ポイントの一部のセル又は標準の一部のセルをシャットダウンする指示情報を基地局又は基地局コントローラに送信するように、或いは、シャットダウンされたセルを開始する指示情報を基地局又は基地局コントローラに送信するように特に構成される。
【００３４】
第８の可能な実現方式では、第３の態様又は第３の態様の第１若しくは第２の可能な実現方式を参照して、送信モジュールは、LTEシステムのマクロ基地局及びマイクロ基地局のユーザサービス状況に従って、オールモスト・ブランク・サブフレーム（ABS）構成情報をマクロ基地局又はマイクロ基地局に送信するように特に構成される。
【００３５】
第９の可能な実現方式では、第３の態様又は第３の態様の第１若しくは第２の可能な実現方式を参照して、送信モジュールは、LTEシステムのセルのPCIコンフリクト状況に従って、コンフリクトしないPCIをPCIがコンフリクトするセルの基地局に送信するように特に構成される。
【００３６】
第１０の可能な実現方式では、第３の態様又は第３の態様の第１ないし第９の可能な実現方式のいずれか１つを参照して、協調ノードは、LTE周辺セル関係に従ってGSM又はUMTS周辺セル関係を構成するように、或いは、GSM周辺セル関係に従ってUMTS又はLTE周辺セル関係を構成するように、或いは、UMTS周辺セル関係に従ってGSM又はLTE周辺セル関係を構成するように構成された構成モジュールを更に含む。
【００３７】
第４の態様によれば、ネットワーク側デバイスが提供され、ネットワーク側デバイスは、異なる標準のセルの基地局又は基地局コントローラであり、協調ノードにより送信された協調指示情報を受信するように構成された受信モジュールであり、協調指示情報は、異なる標準のセルの状態情報に従って協調ノードにより決定され、状態情報は、異なる標準のセルの無線リソース状態、端末分布、及びサービス状況のうち少なくとも１つを示す受信モジュールと、協調指示情報に従ってネットワーク間協調動作を実行するように構成された実行モジュールとを含む。
【００３８】
第１の可能な実現方式では、ネットワーク側デバイスは、状態情報を協調ノードに周期的に送信するように、或いは、無線リソース状態が変化したときに状態情報を協調ノードに送信するように、或いは、協調ノードの状態情報を要求する要求メッセージに応答することにより状態情報を協調ノードに送信するように構成された送信モジュールを更に含む。
【００３９】
第２の可能な実現方式では、第４の態様又は第４の態様の第１の可能な実現方式を参照して、ネットワーク側デバイスは、協調ノードを見つけて、協調ノードと接続を確立するように構成された接続確立モジュールを更に含む。
【００４０】
第３の可能な実現方式では、第４の態様又は第４の態様の第１若しくは第２の可能な実現方式を参照して、協調指示情報は、周辺セルパラメータ、ハンドオーバ閾値、キャンピングパラメータ、電力パラメータ及び負荷閾値のうち少なくとも１つを含み、受信モジュールは、異なる標準のセルの無線リソースの利用率が第１の予め設定された閾値に到達した場合、協調ノードにより送信された協調指示情報を受信するように特に構成される。
【００４１】
第４の可能な実現方式では、第４の態様又は第４の態様の第１若しくは第２の可能な実現方式を参照して、協調指示情報は、進化型基地局（eNodeB）の物理セルアイデンティティ（PCI）、eNodeBのランダムアクセスチャネル（RACH）系列、周辺セルパラメータ、ハンドオーバ閾値、キャンピングパラメータ、電力パラメータ及び負荷閾値のうち少なくとも１つを含み、ネットワーク側デバイスは、eNodeBであり、受信モジュールは、ロング・ターム・エボリューション（LTE）セルの無線リソースの利用率が第２の予め設定された閾値に到達した場合、協調ノードにより送信された協調指示情報を受信するように特に構成される。
【００４２】
第５の可能な実現方式では、第４の態様又は第４の態様の第１若しくは第２の可能な実現方式を参照して、協調指示情報は、異なる標準のセルの無線リソース状態、ユーザ優先度及びサービス種別のうち少なくとも１つに従って協調ノードにより決定されたサービスベアラ調整指示を含み、実行モジュールは、協調指示情報に従ってサービスベアラを調整するように特に構成される。
【００４３】
第６の可能な実現方式では、第４の態様又は第４の態様の第１若しくは第２の可能な実現方式を参照して、協調指示情報は、負荷が予め設定された閾値より高いセルの協調ノードによりLTEシステムのセルの負荷情報に従って決定された、エッジユーザにより使用される周波数リソースを含む。
【００４４】
第７の可能な実現方式では、第４の態様又は第４の態様の第１若しくは第２の可能な実現方式を参照して、協調指示情報は、異なる標準のセルの負荷状況に従って協調ノードにより送信された、周波数ポイントの一部のセル若しくは標準の一部のセルをシャットダウンする指示情報、又はシャットダウンされたセルを開始する指示情報を含む。
【００４５】
第８の可能な実現方式では、第４の態様又は第４の態様の第１若しくは第２の可能な実現方式を参照して、協調指示情報は、LTEシステムのマクロ基地局及びマイクロ基地局のユーザサービス状況に従って協調ノードにより決定されたオールモスト・ブランク・サブフレーム（ABS）構成情報を含む。
【００４６】
第９の可能な実現方式では、第４の態様又は第４の態様の第１若しくは第２の可能な実現方式を参照して、協調指示情報は、LTEシステムのセルのPCIコンフリクト状況に従って協調ノードにより決定されたコンフリクトしないPCIを含む。
【００４７】
第５の態様によれば、協調ノードが提供され、異なる標準のセルの状態情報を取得するように構成された受信機であり、状態情報は、異なる標準のセルの無線リソース状態、端末分布、及びサービス状況のうち少なくとも１つを示す受信機と、状態情報に従って、協調指示情報を決定するように構成されたプロセッサと、基地局又は基地局コントローラが協調指示情報に従ってネットワーク間協調動作を実行するために、協調指示情報を異なる標準のセルの基地局又は基地局コントローラに送信するように構成された送信機とを含む。
【００４８】
第１の可能な実現方式では、受信機は、基地局又は基地局コントローラにより周期的に送信される状態情報を受信するように、或いは、無線リソース状態が変化したときに基地局又は基地局コントローラにより送信される状態情報を受信するように、或いは、基地局又は基地局コントローラにより協調ノードの状態情報を要求する要求メッセージに応答することによって送信された状態情報を受信するように特に構成される。
【００４９】
第２の可能な実現方式では、第５の態様又は第５の態様の第１の可能な実現方式を参照して、プロセッサは、基地局又は基地局コントローラを見つけて、基地局又は基地局コントローラとの接続を確立するように更に構成される。
【００５０】
第３の可能な実現方式では、第５の態様又は第５の態様の第１若しくは第２の可能な実現方式を参照して、協調指示情報は、周辺セルパラメータ、ハンドオーバ閾値、キャンピングパラメータ、電力パラメータ及び負荷閾値のうち少なくとも１つを含み、プロセッサは、異なる標準のセルの無線リソースの利用率が第１の予め設定された閾値に到達した場合、協調指示情報を決定するように特に構成される。
【００５１】
第４の可能な実現方式では、第５の態様又は第５の態様の第１若しくは第２の可能な実現方式を参照して、協調指示情報は、進化型基地局（eNodeB）の物理セルアイデンティティ（PCI）、eNodeBのランダムアクセスチャネル（RACH）系列、周辺セルパラメータ、ハンドオーバ閾値、キャンピングパラメータ、電力パラメータ及び負荷閾値のうち少なくとも１つを含み、プロセッサは、ロング・ターム・エボリューション（LTE）セルの無線リソースの利用率が第２の予め設定された閾値に到達した場合、協調指示情報を決定するように特に構成され、送信機は、協調指示情報をeNodeBに送信するように特に構成される。
【００５２】
第５の可能な実現方式では、第５の態様又は第５の態様の第１若しくは第２の可能な実現方式を参照して、プロセッサは、異なる標準のセルの無線リソース状態、ユーザ優先度及びサービス種別のうち少なくとも１つに従って、サービスベアラ指示を決定するように特に構成され、送信機は、異なる標準のセルがサービスベアラを調整するために、サービスベアラ調整指示を基地局又は基地局コントローラに送信するように特に構成される。
【００５３】
第６の可能な実現方式では、第５の態様又は第５の態様の第１若しくは第２の可能な実現方式を参照して、プロセッサは、LTEシステムのセルの負荷情報に従って、負荷が予め設定された閾値より高いセルのエッジユーザにより使用される周波数リソースを決定するように特に構成され、送信機は、エッジユーザにより使用される周波数リソースを、負荷が予め設定された閾値より高いセルの基地局に送信するように特に構成される。
【００５４】
第７の可能な実現方式では、第５の態様又は第５の態様の第１若しくは第２の可能な実現方式を参照して、プロセッサは、異なる標準のセルの負荷状況に従って、周波数ポイントの一部のセル若しくは標準の一部のセルをシャットダウンする指示情報、又はシャットダウンされたセルを開始する指示情報を決定するように特に構成され、送信機は、周波数ポイントの一部のセル若しくは標準の一部のセルをシャットダウンする指示情報を基地局又は基地局コントローラに送信するように、或いは、シャットダウンされたセルを開始する指示情報を基地局又は基地局コントローラに送信するように特に構成される。
【００５５】
第８の可能な実現方式では、第５の態様又は第５の態様の第１若しくは第２の可能な実現方式を参照して、プロセッサは、LTEシステムのマクロ基地局及びマイクロ基地局のユーザサービス状況に従って、オールモスト・ブランク・サブフレーム（ABS）構成情報を決定するように特に構成され、送信機は、ABS構成情報をマクロ基地局又はマイクロ基地局に送信するように特に構成される。
【００５６】
第９の可能な実現方式では、第５の態様又は第５の態様の第１若しくは第２の可能な実現方式を参照して、プロセッサは、LTEシステムのセルのPCIコンフリクト状況に従って、PCIがコンフリクトするセルのためのコンフリクトしないPCIを決定するように特に構成され、送信機は、コンフリクトしないPCIをPCIがコンフリクトするセルの基地局に送信するように特に構成される。
【００５７】
第１０の可能な実現方式では、第５の態様又は第５の態様の第１ないし第９の可能な実現方式のいずれか１つを参照して、プロセッサは、LTE周辺セル関係に従ってGSM又はUMTS周辺セル関係を構成するように、或いは、GSM周辺セル関係に従ってUMTS又はLTE周辺セル関係を構成するように、或いは、UMTS周辺セル関係に従ってGSM又はLTE周辺セル関係を構成するように更に構成される。
【００５８】
第６の態様によれば、ネットワーク側デバイスが提供され、ネットワーク側デバイスは、異なる標準のセルの基地局又は基地局コントローラであり、協調ノードにより送信された協調指示情報を受信するように構成された受信機であり、協調指示情報は、異なる標準のセルの状態情報に従って協調ノードにより決定され、状態情報は、異なる標準のセルの無線リソース状態、端末分布、及びサービス状況のうち少なくとも１つを示す受信機と、協調指示情報に従ってネットワーク間協調動作を実行するように構成されたプロセッサとを含む。
【００５９】
第１の可能な実現方式では、ネットワーク側デバイスは、状態情報を協調ノードに周期的に送信するように、或いは、無線リソース状態が変化したときに状態情報を協調ノードに送信するように、或いは、協調ノードの状態情報を要求する要求メッセージに応答することにより状態情報を協調ノードに送信するように構成された送信機を更に含む。
【００６０】
第２の可能な実現方式では、第６の態様又は第６の態様の第１の可能な実現方式を参照して、プロセッサは、協調ノードを見つけて、協調ノードと接続を確立するように更に構成される。
【００６１】
第３の可能な実現方式では、第６の態様又は第６の態様の第１若しくは第２の可能な実現方式を参照して、協調指示情報は、周辺セルパラメータ、ハンドオーバ閾値、キャンピングパラメータ、電力パラメータ及び負荷閾値のうち少なくとも１つを含み、受信機は、異なる標準のセルの無線リソースの利用率が第１の予め設定された閾値に到達した場合、協調ノードにより送信された協調指示情報を受信するように特に構成される。
【００６２】
第４の可能な実現方式では、第６の態様又は第６の態様の第１若しくは第２の可能な実現方式を参照して、協調指示情報は、進化型基地局（eNodeB）の物理セルアイデンティティ（PCI）、eNodeBのランダムアクセスチャネル（RACH）系列、周辺セルパラメータ、ハンドオーバ閾値、キャンピングパラメータ、電力パラメータ及び負荷閾値のうち少なくとも１つを含み、ネットワーク側デバイスは、eNodeBであり、受信機は、ロング・ターム・エボリューション（LTE）セルの無線リソースの利用率が第２の予め設定された閾値に到達した場合、協調ノードにより送信された協調指示情報を受信するように特に構成される。
【００６３】
第５の可能な実現方式では、第６の態様又は第６の態様の第１若しくは第２の可能な実現方式を参照して、協調指示情報は、異なる標準のセルの無線リソース状態、ユーザ優先度及びサービス種別のうち少なくとも１つに従って協調ノードにより決定されたサービスベアラ調整指示を含み、プロセッサは、協調指示情報に従ってサービスベアラを調整するように特に構成される。
【００６４】
第６の可能な実現方式では、第６の態様又は第６の態様の第１若しくは第２の可能な実現方式を参照して、協調指示情報は、負荷が予め設定された閾値より高いセルの協調ノードによりLTEシステムのセルの負荷情報に従って決定された、エッジユーザにより使用される周波数リソースを含む。
【００６５】
第７の可能な実現方式では、第６の態様又は第６の態様の第１若しくは第２の可能な実現方式を参照して、協調指示情報は、異なる標準のセルの負荷状況に従って協調ノードにより送信された、周波数ポイントの一部のセル若しくは標準の一部のセルをシャットダウンする指示情報、又はシャットダウンされたセルを開始する指示情報を含む。
【００６６】
第８の可能な実現方式では、第６の態様又は第６の態様の第１若しくは第２の可能な実現方式を参照して、協調指示情報は、LTEシステムのマクロ基地局及びマイクロ基地局のユーザサービス状況に従って協調ノードにより決定されたオールモスト・ブランク・サブフレーム（ABS）構成情報を含む。
【００６７】
第９の可能な実現方式では、第６の態様又は第６の態様の第１若しくは第２の可能な実現方式を参照して、協調指示情報は、LTEシステムのセルのPCIコンフリクト状況に従って協調ノードにより決定されたコンフリクトしないPCIを含む。
【００６８】
前述の技術的対策に基づいて、本発明の実施例では、協調指示情報は、基地局又は基地局コントローラが協調指示情報に従ってネットワーク間協調動作を実行するために、異なる標準のセルの状態情報に従って異なる標準のセルの基地局又は基地局コントローラに送信される。このことは、無線ネットワークリソースの利用率を最大化させることができ、従って、ネットワーク性能を改善することができる。
【図面の簡単な説明】
【００６９】
本発明の実施例の技術的対策を明瞭に説明するために、本発明の実施例を説明するために必要な添付図面について以下に簡単に紹介する。明らかに、以下の説明において、添付図面は単なる本発明のいくつかの実施例を示しているに過ぎず、当業者は、創造的取り組みを行うことなく、依然としてこれらの添付図面から他の図面を導くことができる。
【図１】本発明の実施例によるネットワーク間協調方法の概略フローチャート
【図２】本発明の実施例によるマルチ標準のネットワークアーキテクチャの概略図
【図３】本発明の実施例によるネットワーク間協調方法の他の概略フローチャート
【図４】本発明の実施例によるネットワーク間協調方法の更に他の概略フローチャート
【図５】本発明の実施例によるネットワーク間協調方法の更に他の概略フローチャート
【図６】本発明の他の実施例によるネットワーク間協調方法の概略フローチャート
【図７】本発明の他の実施例によるネットワーク間協調方法の他の概略フローチャート
【図８】本発明の実施例による協調ノードの概略ブロック図
【図９】本発明の実施例による協調ノードの他の概略ブロック図
【図１０】本発明の実施例による協調ノードの更に他の概略ブロック図
【図１１】本発明の実施例によるネットワーク側デバイスの概略ブロック図
【図１２】本発明の実施例によるネットワーク側デバイスの他の概略ブロック図
【図１３】本発明の実施例によるネットワーク側デバイスの更に他の概略ブロック図
【図１４】本発明の他の実施例による協調ノードの概略ブロック図
【図１５】本発明の他の実施例によるネットワーク側デバイスの概略ブロック図
【発明を実施するための形態】
【００７０】
以下に、本発明の実施例の添付図面を参照して、本発明の実施例の技術的対策を明確且つ完全に説明する。明らかに、記載の実施例は、本発明の実施例の全てではなく、一部に過ぎない。創造的取り組みを行うことなく、本発明の実施例に基づいて当業者により得られる全ての他の実施例は、本発明の保護範囲内に入るものとする。
【００７１】
本発明の実施例の技術的対策は、様々な通信システム（例えば、グローバル・システム・フォー・モバイル・テレコミュニケーションズ（Global  System  of  Mobile  communication、略してGSM）システム、符号分割多重アクセス（Code  Division  Multiple  Access、略してCDMA）システム、広帯域符号分割多重アクセス（Wideband  Code  Division  Multiple  Access、略してWCDMA）システム、汎用パケット無線サービス（General  Packet  Radio  Service、略してGPRS）、ロング・ターム・エボリューション（Long  Term  Evolution、略してLTE）システム、LTE周波数分割双方向（Frequency  Division  Duplex、略してFDD）システム、LTE時分割双方向（Time  Division  Duplex、略してTDD）、ユニバーサル・モバイル・テレコミュニケーションズ・システム（Universal  Mobile  Telecommunication  System、略してUMTS）、ワールドワイド・インターオペラビリティ・フォー・マイクロウェーブ・アクセス（Worldwide  Interoperability  for  Microwave  Access、略してWiMAX）通信システム等）に適用され得ることが分かる。
【００７２】
本発明の実施例では、基地局は、GSM又はCDMAの基地局（Base  Transceiver  Station、略してBTS）でもよく、WCDMAの基地局（NodeB、略してNB）でもよく、LTEの進化型基地局（Evolutional  Node  B、略してENB又はeNodeB）でもよく、本発明では限定されない。
【００７３】
本発明の実施例では、基地局コントローラは、GSM又はCDMAの基地局コントローラ（Base  Station  Controller、略してBTS）でもよく、UMTSの無線ネットワークコントローラ（Radio  Network  Controller、略してRNC）でもよく、本発明では限定されない。
【００７４】
本発明の実施例では、協調ノード（eCoordinator）は、マルチ標準のネットワークを協調させるユニットを示す。配置位置では限定されない協調ノードは、別々に配置されてもよく、ネットワーク管理システム、コントローラ又は基地局と共に配置されてもよい。換言すると、協調ノードは、別々に配置されてもよく、他のデバイスに配置されてもよい。
【００７５】
図１は、本発明の実施例によるネットワーク間協調方法100の概略フローチャートを示している。図１の方法は、協調ノードにより実行され、図１に示すように、方法100は以下を含む。
【００７６】
S110.異なる標準のセルの状態情報を取得する。状態情報は、異なる標準のセルの無線リソース状態、端末分布、及びサービス状況のうち少なくとも１つを示す。
【００７７】
S120.基地局又は基地局コントローラが協調指示情報に従ってネットワーク間協調動作を実行するために、状態情報に従って、協調指示情報を異なる標準のセルの基地局又は基地局コントローラに送信する。
【００７８】
本発明の実施例では、マルチ標準のネットワークのリソースの利用率を最適化するために、マルチ標準のマルチレイヤネットワークの間の無線リソース及びサービスベアラは、協調ノードを使用することにより一律に協調される。協調ノードは、異なる標準のセルの状態情報を取得し、状態情報は、異なる標準のセルの無線リソース状態、端末分布、及びサービス状況のうち少なくとも１つを示す。基地局又は基地局コントローラが協調指示情報に従ってネットワーク間協調動作を実行するために、状態情報に従って、協調指示情報を異なる標準のセルの基地局又は基地局コントローラに送信する。無線ネットワークリソース状態は、標準の間の協調最適化を実行するために新たに追加された協調ノードを使用することによりリアルタイムで取得される。このことは、標準の間の無線リソースについての統一されたアーキテクチャの協調最適化を実現し、従って、無線ネットワークリソースの利用率を最大化することができる。
【００７９】
従って、本発明の実施例によるネットワーク間協調方法では、協調指示情報は、基地局又は基地局コントローラが協調指示情報に従ってネットワーク間協調動作を実行するために、異なる標準のセルの状態情報に従って異なる標準のセルの基地局又は基地局コントローラに送信される。このことは、無線ネットワークリソースの利用率を最大化させることができ、従って、ネットワーク性能を改善することができる。
【００８０】
本発明の実施例の技術的対策は、様々なマルチ標準のネットワークシステムに適用されてもよいことが分かる。標準は、GSM、UMTS又はLTEでもよく、本発明の実施例では限定されない。また、CDMA又はワイヤレス・フィデリティ（wireless-fidelity、略してWiFi）でもよい。説明を容易にするために、以下の実施例は、GSM、UMTS及びLTEを例として使用することにより説明が行われる。
【００８１】
図２に示すように、GSM、UMTS及びLTEのマルチ標準のネットワークシステムでは、様々なセルは、協調ノード（eCoordinator）を使用することにより協調される。協調ノードとGSMとの間のIeGインタフェースは、GSM状態情報と、GSMのための協調指示情報とを搬送する。協調ノードとUMTSとの間のIeUインタフェースは、UMTS状態情報と、UMTSのための協調指示情報とを搬送する。協調ノードとLTEとの間のIeLインタフェースは、LTE状態情報と、LTEのための協調指示情報とを搬送する。協調ノードの間のIeeインタフェースは、エリアのエッジの相互作用情報を搬送する。任意選択で、これらのインタフェースは、新たに確立された接続でもよく、既存の接続を使用してもよい。
【００８２】
本発明の実施例では、状態情報は、異なる標準のセルの無線リソース状態、端末分布、及びサービス状況のうち少なくとも１つを示し、例えば、無線リソースの利用率、ユーザ優先度、サービス種別、端末種別、ユーザサービス状況、負荷情報、アクセス成功率、ハンドオーバ成功率、及びドロップ率のうち１つ以上を示す。協調ノードは、前述の情報のうち１つ以上を取得し、取得された情報に従って協調指示情報を基地局又は基地局コントローラに送信してもよい。
【００８３】
S110において、協調ノードは、異なる標準のセルの状態情報を取得する。
【００８４】
協調ノードは、複数の方法で様々な標準のセルの状態情報を取得する。図３に示すように、任意選択で、S110は以下を含む。
【００８５】
S111.基地局又は基地局コントローラにより周期的に送信される状態情報を受信する、或いは、
S112.無線リソース状態が変化したときに基地局又は基地局コントローラにより送信される状態情報を受信する、或いは、
S113.状態情報を要求する要求メッセージを基地局又は基地局コントローラに送信し、基地局又は基地局コントローラにより要求メッセージに応答することによって送信された状態情報を受信する。
【００８６】
特に、状態情報は、アクティブな報告方法又は要求の報告方法で報告されてもよい。アクティブな報告方法では、基地局又は基地局コントローラは、周期的に又は無線リソース状態が変化したときに、状態情報を協調ノードに送信する。要求の報告方法では、協調ノードは、まず状態情報を要求する要求メッセージを基地局又は基地局コントローラに送信し、次に基地局又は基地局コントローラが、要求メッセージに従って状態情報を協調ノードに報告する。例えば、図２に示すシステムでは、BSC、RNC及びeNodeBは、それぞれIeG、IeU及びIeLインタフェースを通じて協調ノード（eCoordinator）に状態情報を報告する。
【００８７】
本発明のこの実施例では、図４に示すように、任意選択で、S110の前に方法100は更に以下を含む。
【００８８】
S130.  基地局又は基地局コントローラを見つけて、基地局又は基地局コントローラとの接続を確立する。
【００８９】
特に、協調ノードと、基地局又は基地局コントローラとは、プラグアンドプレイ機構を採用する。すなわち、協調ノードは、エリア内の基地局又は基地局コントローラを自動的に見つけて、基地局又は基地局コントローラとの接続を自動的に確立する。或いは、エリア内の基地局又は基地局コントローラは、協調ノードを自動的に見つけて、協調ノードとの接続を自動的に確立する。接続を確立した後に、協調ノードは、状態情報を取得し、接続を通じて協調指示情報を配信する。
【００９０】
S120において、協調ノードは、基地局又は基地局コントローラが協調指示情報に従ってネットワーク間協調動作を実行するために、状態情報に従って、協調指示情報を異なる標準のセルの基地局又は基地局コントローラに送信する。
【００９１】
協調ノードは、様々な標準のセルの取得された状態情報に従って、エリア内のリソース状態及びサービス配信状況を分析し、無線リソースの使用が予め設定された閾値に到達した場合、全体ネットワークを最適化するため、最適化手順を開始し、基地局又は基地局コントローラが協調指示情報に従ってネットワーク間協調動作を実行するために、協調指示情報を基地局又は基地局コントローラに送信する。
【００９２】
任意選択で、図５に示すように、S120は以下を含む。
【００９３】
S121.異なる標準のセルの無線リソースの利用率が第１の予め設定された閾値に到達した場合、協調指示情報を基地局又は基地局コントローラに送信する。
【００９４】
協調指示情報は、周辺セルパラメータ、ハンドオーバ閾値、キャンピングパラメータ、電力パラメータ及び負荷閾値のうち少なくとも１つを含む。
【００９５】
本発明の実施例における第１の予め設定された閾値と、以下における第２の予め設定された閾値は、予め設定された閾値を示しており、“第１”及び“第２は単に異なる閾値を区別するためものであることを意図することが分かる。
【００９６】
協調ノードは、エリア内の無線リソースの利用率が第１の予め設定された閾値に到達したか否かを決定し、第１の予め設定された閾値に到達した場合、パラメータ最適化を開始し、基地局又は基地局コントローラが配信されたパラメータに従って協調動作を実行するために、最適化されたパラメータ（例えば、前述のパラメータのうち１つ以上）を基地局又は基地局コントローラに配信する。協調ノードにより送信されたパラメータを受信した後に、基地局又は基地局コントローラは、これらのパラメータに従って協調動作を実行し、例えば、ハンドオーバの実行又は電力の調整を行う。協調ノードは、最適化の後に効果を検出し、ターゲットに到達した場合、例えば、無線リソースの利用率がターゲットの値まで低減された場合、最適化を終了する。そうでない場合、最適化を再び実行し、新たなパラメータを基地局又は基地局コントローラに配信する。或いは、協調ノードは、エリア内の２つのセルの間のハンドオーバ成功率が低すぎるか否かを決定し、低すぎる場合、ハンドオーバパラメータを調整することによりハンドオーバ最適化を実行し、これらを基地局又は基地局コントローラに配信し、ハンドオーバ成功率が要件を満たすか否かを観測する。ハンドオーバ成功率が要件を満たさない場合、調整を続ける。ハンドオーバ成功率が要件を満たす場合、最適化を中止する。
【００９７】
このように、本発明の実施例によるネットワーク間協調方法では、異なる標準のセルの無線リソースの集権化された最適化が実行される。このことは、無線ネットワークリソースの利用率を最大化させることができ、従って、ネットワーク性能を改善することができる。
【００９８】
任意選択で、図５に示すように、S120は以下を含む。
【００９９】
S122.ロング・ターム・エボリューション（LTE  ）セルの無線リソースの利用率が第２の予め設定された閾値に到達した場合、協調指示情報をeNodeBに送信する。
【０１００】
協調指示情報は、進化型基地局（eNodeB）の物理セルアイデンティティ（Physical  Cell  ID、略してPCI）、eNodeBのランダムアクセスチャネル（Random  Access  Channel、略してRACH）系列、周辺セルパラメータ、ハンドオーバ閾値、キャンピングパラメータ、電力パラメータ及び負荷閾値のうち少なくとも１つを含む。
【０１０１】
協調ノードは、LTEシステムのセルで協調最適化を実行してもよい。協調ノードは、eNodeBの無線リソースの利用率が第２の予め設定された閾値に到達したか否かを決定し、第２の予め設定された閾値に到達した場合、LTEシステムのパラメータ最適化を開始し、eNodeBが協調動作を実行するために、最適化されたパラメータ（例えば、前述のパラメータのうち１つ以上）をeNodeBに配信する。協調ノードにより送信されたパラメータを受信した後に、eNodeBは、これらのパラメータに従って協調動作を実行し、例えば、ハンドオーバの実行又は電力の調整を行う。協調ノードは、最適化の後に効果を検出し、ターゲットに到達した場合、例えば、LTEネットワークの無線リソースの利用率がターゲットの値まで低減された場合、最適化を終了する。そうでない場合、最適化を再び実行し、新たなパラメータをeNodeBに配信する。或いは、協調ノードは、エリア内のLTE干渉インデックスが閾値に到達したか否かを決定し、閾値に到達した場合、干渉最適化を開始し、エッジのスペクトルをエリア内の基地局の全て又は一部に再び割り当て、干渉最適化のターゲットに到達したか否かを観測する。干渉最適化のターゲットに到達した場合、最適化を中止する。干渉最適化のターゲットに到達しない場合、最適化を続ける。
【０１０２】
このように、本発明の実施例によるネットワーク間協調方法では、LTEネットワークの無線リソースの集権化された最適化が実行される。このことは、LTEネットワークリソースの利用率を最大化させることができ、従って、ネットワーク性能を改善することができる。
【０１０３】
任意選択で、図５に示すように、S120は以下を含む。
【０１０４】
S123.異なる標準のセルがサービスベアラを調整するために、異なる標準のセルの無線リソース状態、ユーザ優先度及びサービス種別のうち少なくとも１つに従って、サービスベアラ調整指示を基地局又は基地局コントローラに送信する。
【０１０５】
協調ノードは、異なる標準のセルの状態情報に従ってサービスベアラ調整を実行してもよい。協調ノードは、ユーザ優先度、サービス種別及び無線リソース状態のうち１つ以上を包括的に決定し、基地局又は基地局コントローラがサービスベアラを調整するために、例えば、ハンドオーバ等を用いてサービスベアラを調整するために、サービスベアラ調整指示を基地局又は基地局コントローラに配信する。例えば、ネットワークが混雑している場合、協調ノードは、異なるデータパケット種別に従って制御命令を使用することにより、異なるレイヤのネットワークに搬送し、例えば、スモールパケットのデータサービスをUMTSからGSMベアラに調整し、ラージパケットのダウンロードサービスをLTEに調整し、高速移動データサービスをUMTSベアラに調整する。或いは、サービス種別に従ってベアラを調整し、例えば、一律に音声サービスをGSMに調整し、ビデオサービスをLTEに調整し、インターネットアクセスをUMTSに調整する。或いは、ユーザ優先度に従ってベアラを調整し、例えば、優先的に高優先度のユーザをLTEで搬送し、中間優先度のユーザをUMTSで搬送し、低優先度をGSMで搬送する。前述の搬送ポリシーは、実際のネットワーク状況又はオペレータの料金ポリシーに従って動的に設定されてもよい。協調ノードは、ポリシーの協調実行エンティティとして機能し、主な利点は、ユーザ配信状況がリアルタイムのネットワーク負荷状況に従って動的に調整され得る点にある。
【０１０６】
任意選択で、サービスベアラは、サービス種別に基づくベアラ選択と、サービス品質（Quality  of  Service、略してQoS）に基づくベアラ選択と、負荷状態に基づくベアラ選択とを含むが、本発明の実施例では限定されない。
【０１０７】
任意選択で、図５に示すように、S120は以下を含む。
【０１０８】
S124.LTEシステムのセルの負荷情報に従って、エッジユーザにより使用される周波数リソースを、負荷が予め設定された閾値より高いセルの基地局に送信する。
【０１０９】
LTEシステムの各セルのエッジユーザは、同じ時間及び周波数リソースを使用する周辺セルにより強い干渉を受けることがある。このことは、ユーザスループット及び経験に影響を与える。これらのユーザがより良い経験を得ることができるように、周辺セルのエッジユーザは、相互干渉を低減するために、異なる周波数リソースを使用するように協調されてもよい。協調ノードは、各セルの負荷情報に従って、大きい周波数内干渉がセルのエッジユーザに生じているか否かを決定し、セル負荷が高い場合（すなわち、予め設定された閾値より高い場合）、周囲のセルの共同分析を通じて高い負荷を有するセルについて、エッジユーザにより使用される周波数リソースを割り当ててもよい。このことは、周辺セルのエッジユーザが相互に干渉し、従って、これらのユーザの経験を改善することを確保する。
【０１１０】
任意選択で、図５に示すように、S120は以下を含む。
【０１１１】
S125.異なる標準のセルの負荷状況に従って、周波数ポイントの一部のセル又は標準の一部のセルをシャットダウンする指示情報を基地局又は基地局コントローラに送信する、或いは、シャットダウンされたセルを開始する指示情報を基地局又は基地局コントローラに送信する。
【０１１２】
モバイルブロードバンド（Mobile  Broad  Band、略してMBB）の進展により、オペレータは、次第にLTE、UMTS及びGSMのマルチ標準のマルチ周波数のネットワークを確立している。夜のように軽い負荷の混雑しない時間がネットワークに存在する。この場合、オペレータは、エネルギーを節約するために、ネットワークサービス機能の一部を保持し、ネットワークサービスの一部をシャットダウンすることを選択してもよい。本発明の実施例では、協調ノードは、ネットワークの各標準の負荷状況を取得し、ネットワーク負荷が低い場合、エネルギーを節約するために、特定の標準の周波数ポイントの一部のセル又は特定の標準のセルをシャットダウンすることを選択してもよい。ネットワーク負荷が高い場合、シャットダウンされたセルを再び使用状態にすることを選択してもよい。
【０１１３】
任意選択で、図５に示すように、S120は以下を含む。
【０１１４】
S126.LTEシステムのマクロ基地局及びマイクロ基地局のユーザサービス状況に従って、オールモスト・ブランク・サブフレーム（ABS）構成情報をマクロ基地局又はマイクロ基地局に送信する。
【０１１５】
LTEのマクロセル及びマイクロセルが周波数内ネットワーキングを実行する場合、オールモスト・ブランク・サブフレーム（Almost  Blank  Sub-Frame、略してABS）リソースは、拡張セル間干渉協調（enhanced  inter-cell  interference  coordination、略してeICIC）技術を使用することにより、システム内のマイクロ基地局のエッジユーザのために割り当てられてもよい。eICIC技術は、スモール局のカバレッジ範囲拡張技術（Range  Extension）と組み合わせて、マイクロ基地局が多くのユーザにサービス提供することを可能にし、従って、マイクロ基地局のエッジユーザの経験を改善する。ABSサブフレームは、マクロ基地局により使用することができず、従って、構成されるABSの数は、システムキャパシティを全体的に改善するために、マイクロセルラのエッジでサービス提供され得るユーザの数に従って決定される必要がある。本発明の実施例では、協調ノードは、マクロ基地局及びマイクロ基地局のサービス提供されるユーザ状況に従って集権化された分析及び判断を実行してもよく、各セルのABSサブフレームの構成を協調して調整する。このことは、マクロ基地局のサービス提供範囲を拡張し、システムキャパシティを全体的に改善する。
【０１１６】
任意選択で、図５に示すように、S120は以下を含む。
【０１１７】
S127.LTEシステムのセルのPCIコンフリクト状況に従って、コンフリクトしないPCIをPCIがコンフリクトするセルの基地局に送信する。
【０１１８】
LTEシステムの各セルは、セルのPCI識別子を割り当てられており、接続状態の端末は、周辺セルの強度を測定する。高い信号強度の周辺セルが測定中に見つかった場合、セルのPCI及び信号強度が報告される。eNodeBは、端末を適切なセルによりサービス提供させるために、PCIに従って、対応するハンドオーバ指示を実行するか否かを決定する。或る場合には、UEの周辺セルは、不完全なPCI計画のため、同じPCIを有する。この場合、eNodeBは、UEにより報告されたPCIに従って、ハンドオーバ指示を配信するための不正確な周辺セルを選択し、ハンドオーバの失敗を生じる可能性がある。周辺セルに同じPCIが存在する場合は、PCIコンフリクトと呼ばれる。本発明の実施例では、協調ノードは、ハンドオーバの失敗のセルのPCIについて、PCIコンフリクトの協調再割り当てを実行してもよい。eNodeBは、UEに対してセルグローバルインデックス（Cell  Global  ID、略してCGI）の測定を実行するように命令し、PCIがコンフリクトするセルのCGIを協調ノードに送信する。協調ノードは、PCIコンフリクトの問題を解決してハンドオーバ成功率を確保するために、セルの周囲のセルのPCI割り当てについて分析を実行し、コンフリクトしないPCIをセルに再び割り当てる。
【０１１９】
本発明の実施例では、任意選択で、方法100は、LTE周辺セル関係に従ってGSM又はUMTS周辺セル関係を構成すること、或いは、GSM周辺セル関係に従ってUMTS又はLTE周辺セル関係を構成すること、或いは、UMTS周辺セル関係に従ってGSM又はLTE周辺セル関係を構成することを更に含む。
【０１２０】
オペレータは、LTE、UMTS及びGSMの同一サイトの確立をしばしば採用し、１つのサイトにおける同じ製造者によるLTE、UMTS及びGSMの異なる標準の統一されたネットワーク（SingleRAN）を確立するネットワーク確立ポリシーが既にトレンドとなっている。この場合、１つのセルのそれぞれの標準の周辺セルは、同じ地理的なトポロジ関係を有する。本発明の実施例では、協調ノードは、１つのLTEセルの自動的に確立されたLTE周辺セル関係に従ってトポロジ分析を迅速に実行し、セルのGSM及びUMTS周辺セル関係を構成してもよい。更に、１つのGSMセルでも、サイトトポロジ関係に従って分析が実行されてもよく、対応するUMTS及びLTE周辺関係が迅速に構成される。UMTSセルでも、サイトトポロジ関係に従って分析が実行されてもよく、対応するGSM及びLTE周辺関係が迅速に構成される。協調ノードの集権化されたトポロジ分析を使用することにより、周辺セル構成の効率が改善される。
【０１２１】
本発明の実施例によるネットワーク間協調方法では、協調指示情報は、異なる標準のセルの状態情報に従って異なるサービス特性に基づいて柔軟に構成される。このことは、無線ネットワークリソースの利用率を最大化させることができ、ネットワーク性能及びユーザ経験を改善することができる。
【０１２２】
前述では、図１〜図５を参照して、協調ノードの観点からネットワーク間協調方法を詳細に説明した。以下では、図６〜図７を参照して、基地局又は基地局コントローラの観点からネットワーク間協調方法を詳細に説明する。
【０１２３】
図６は、本発明の他の実施例によるネットワーク間協調方法200の概略フローチャートを示している。図６の方法は、基地局又は基地局コントローラにより実行されてもよく、図６に示すように、方法200は以下を含む。
【０１２４】
S210.協調ノードにより送信された協調指示情報を受信する。協調指示情報は、異なる標準のセルの状態情報に従って協調ノードにより決定され、状態情報は、異なる標準のセルの無線リソース状態、端末分布、及びサービス状況のうち少なくとも１つを示す。
【０１２５】
S220.協調指示情報に従ってネットワーク間協調動作を実行する。
【０１２６】
本発明の実施例では、マルチ標準のマルチレイヤネットワークの間の無線リソース及びサービスベアラは、協調ノードにより一律に協調される。基地局又は基地局コントローラは、協調ノードにより送信された協調指示情報を受信する。協調指示情報は、異なる標準のセルの状態情報に従って協調ノードにより決定され、状態情報は、異なる標準のセルの無線リソース状態、端末分布、及びサービス状況のうち少なくとも１つを示す。基地局又は基地局コントローラは、協調指示情報に従ってネットワーク間協調動作を実行する。標準の間の協調最適化は、新たに追加された協調ノードを使用することにより実行される。このことは、標準の間の無線リソースについての統一されたアーキテクチャの協調最適化を実現し、従って、無線ネットワークリソースの利用率を最大化することができる。
【０１２７】
従って、本発明の実施例によるネットワーク間協調方法では、ネットワーク間協調動作は、協調ノードにより送信された協調指示情報に従って実行される。このことは、無線ネットワークリソースの利用率を最大化させることができ、従って、ネットワーク性能を改善することができる。
【０１２８】
本発明の実施例では、任意選択で、S210の前に方法200は、状態情報を協調ノードに周期的に送信すること、或いは、無線リソース状態が変化したときに状態情報を協調ノードに送信すること、或いは、協調ノードにより送信された状態情報を要求する要求メッセージを受信し、要求メッセージに応答することにより状態情報を協調ノードに送信することを更に含む。
【０１２９】
特に、基地局又は基地局コントローラは、アクティブな報告方法又は要求の報告方法で状態情報を報告してもよい。アクティブな報告方法では、基地局又は基地局コントローラは、周期的に又は無線リソース状態が変化したときに、状態情報を協調ノードに送信する。要求の報告方法では、協調ノードにより送信された状態情報を要求する要求メッセージを受信した後に、基地局又は基地局コントローラは、要求メッセージに従って状態情報を協調ノードに報告する。
【０１３０】
本発明の実施例では、任意選択で、S210の前に方法200は、協調ノードを見つけて、協調ノードと接続を確立することを更に含む。
【０１３１】
協調ノードと、基地局又は基地局コントローラとは、プラグアンドプレイ機構を採用する。すなわち、協調ノードは、エリア内の基地局又は基地局コントローラを自動的に見つけて、基地局又は基地局コントローラとの接続を自動的に確立する。或いは、基地局又は基地局コントローラは、協調ノードを自動的に見つけて、協調ノードとの接続を自動的に確立する。接続を確立した後に、基地局又は基地局コントローラは、接続を通じて状態情報を協調ノードに送信し、協調ノードにより配信された協調指示情報を受信する。
【０１３２】
本発明の実施例では、図７に示すように、任意選択でS210は以下を含む。
【０１３３】
S211.異なる標準のセルの無線リソースの利用率が第１の予め設定された閾値に到達した場合、異なる標準のセルの基地局又は基地局コントローラは、協調ノードにより送信された協調指示情報を受信する。
【０１３４】
協調指示情報は、周辺セルパラメータ、ハンドオーバ閾値、キャンピングパラメータ、電力パラメータ及び負荷閾値のうち少なくとも１つを含む。
【０１３５】
特に、協調ノードは、エリア内の無線リソースの利用率が第１の予め設定された閾値に到達したか否かを決定し、第１の予め設定された閾値に到達した場合、パラメータ最適化を開始し、基地局又は基地局コントローラが配信されたパラメータに従って協調動作を実行するために、最適化されたパラメータを基地局又は基地局コントローラに配信する。協調ノードにより送信されたパラメータを受信した後に、基地局又は基地局コントローラは、これらのパラメータに従って協調動作を実行し、例えば、ハンドオーバの実行又は電力の調整を行う。協調ノードは、最適化の後に効果を検出し、ターゲットに到達した場合、例えば、無線リソースの利用率がターゲットの値まで低減された場合、最適化を終了する。そうでない場合、最適化を再び実行し、新たなパラメータを基地局又は基地局コントローラに配信する。
【０１３６】
このように、本発明の実施例によるネットワーク間協調方法では、異なる標準のセルの無線リソースの集権化された最適化が実行される。このことは、無線ネットワークリソースの利用率を最大化させることができ、従って、ネットワーク性能を改善することができる。
【０１３７】
任意選択で、図７に示すように、S210は以下を含む。
【０１３８】
S212.ロング・ターム・エボリューション（LTE）セルの無線リソースの利用率が第２の予め設定された閾値に到達した場合、eNodeBは、協調ノードにより送信された協調指示情報を受信する。
【０１３９】
協調指示情報は、進化型基地局（eNodeB）の物理セルアイデンティティ（PCI）、eNodeBのランダムアクセスチャネル（RACH）系列、周辺セルパラメータ、ハンドオーバ閾値、キャンピングパラメータ、電力パラメータ及び負荷閾値のうち少なくとも１つを含む。
【０１４０】
特に、協調ノードは、LTEシステムのセルで協調最適化を実行してもよい。協調ノードは、eNodeBの無線リソースの利用率が第２の予め設定された閾値に到達したか否かを決定し、第２の予め設定された閾値に到達した場合、LTEシステムのパラメータ最適化を開始し、eNodeBが協調動作を実行するために、最適化されたパラメータをeNodeBに配信する。協調ノードにより送信されたパラメータを受信した後に、eNodeBは、これらのパラメータに従って協調動作を実行し、例えば、ハンドオーバの実行又は電力の調整を行う。協調ノードは、最適化の後に効果を検出し、ターゲットに到達した場合、例えば、LTEネットワークの無線リソースの利用率がターゲットの値まで低減された場合、最適化を終了する。そうでない場合、最適化を再び実行し、新たなパラメータをeNodeBに配信し、eNodeBは、新たなパラメータに従って協調動作を再び実行する。
【０１４１】
このように、本発明の実施例によるネットワーク間協調方法では、LTEネットワークの無線リソースの集権化された最適化が実行される。このことは、LTEネットワークリソースの利用率を最大化させることができ、従って、ネットワーク性能を改善することができる。
【０１４２】
本発明の実施例では、任意選択で、協調指示情報は、異なる標準のセルの無線リソース状態、ユーザ優先度及びサービス種別のうち少なくとも１つに従って協調ノードにより決定されたサービスベアラ調整指示を含む。
【０１４３】
S220は、協調指示情報に従ってサービスベアラを調整することを含む。
【０１４４】
特に、協調ノードは、異なる標準のセルの状態情報に従ってサービスベアラ調整を実行してもよい。協調ノードは、ユーザ優先度、サービス種別及び無線リソース状態のうち１つ以上を包括的に決定し、基地局又は基地局コントローラがサービスベアラを調整するために、サービスベアラ調整指示を基地局又は基地局コントローラに配信する。サービスベアラ調整指示を受信した後に、基地局又は基地局コントローラは、サービスベアラ調整指示に従ってサービスベアラを調整し、例えば、ハンドオーバ等を用いてサービスベアラを調整する。
【０１４５】
本発明の実施例では、任意選択で、協調指示情報は、負荷が予め設定された閾値より高いセルの協調ノードによりLTEシステムのセルの負荷情報に従って決定された、エッジユーザにより使用される周波数リソースを含む。
【０１４６】
本発明の実施例では、任意選択で、協調指示情報は、異なる標準のセルの負荷状況に従って協調ノードにより送信された、周波数ポイントの一部のセル若しくは標準の一部のセルをシャットダウンする指示情報、又はシャットダウンされたセルを開始する指示情報を含む。
【０１４７】
本発明の実施例では、任意選択で、協調指示情報は、LTEシステムのマクロ基地局及びマイクロ基地局のユーザサービス状況に従って協調ノードにより決定されたオールモスト・ブランク・サブフレーム（ABS）構成情報を含む。
【０１４８】
本発明の実施例では、任意選択で、協調指示情報は、LTEシステムのセルのPCIコンフリクト状況に従って協調ノードにより決定されたコンフリクトしないPCIを含む。
【０１４９】
本発明の実施例によるネットワーク間協調方法では、協調指示情報は、異なる標準のセルの状態情報に従って異なるサービス特性に基づいて柔軟に構成される。このことは、無線ネットワークリソースの利用率を最大化させることができ、ネットワーク性能及びユーザ経験を改善することができる。
【０１５０】
本発明の実施例では、協調ノード側で説明した、協調ノードと基地局又は基地局コントローラとの間の相互作用、関係する特徴及び機能は、基地局又は基地局コントローラ側で説明したものに対応しており、説明を簡潔にするために詳細はここでは繰り返されないことが分かる。
【０１５１】
本発明の様々な実施例では、前述の処理の通し番号は実施の順序を意味するものではなく、処理の実施順序は、処理の機能及び内部ロジックに依存し、本発明の実施例の実施処理に限定を構成するものではないことが分かる。
【０１５２】
前述では、図１〜図７を参照して、本発明の実施例によるネットワーク間協調方法を詳細に説明した。以下では、図８〜図１５を参照して、本発明の実施例による協調ノード及びネットワーク側デバイスを詳細に説明する。
【０１５３】
図８は、本発明の実施例による協調ノード300の概略ブロック図を示している。図８に示すように、協調ノード300は、異なる標準のセルの状態情報を取得するように構成された取得モジュール310であり、状態情報は、異なる標準のセルの無線リソース状態、端末分布、及びサービス状況のうち少なくとも１つを示す取得モジュール310と、基地局又は基地局コントローラが協調指示情報に従ってネットワーク間協調動作を実行するために、状態情報に従って、協調指示情報を異なる標準のセルの基地局又は基地局コントローラに送信するように構成された送信モジュール320とを含む。
【０１５４】
本発明の実施例では、マルチ標準のネットワークのリソースの利用率を最適化するために、マルチ標準のマルチレイヤネットワークの間の無線リソース及びサービスベアラは、協調ノードを使用することにより一律に協調される。取得モジュール310は、異なる標準のセルの状態情報を取得し、送信モジュール320は、基地局又は基地局コントローラが協調指示情報に従ってネットワーク間協調動作を実行するために、状態情報に従って、協調指示情報を異なる標準のセルの基地局又は基地局コントローラに送信する。無線ネットワークリソース状態は、標準の間の協調最適化を実行するために新たに追加された協調ノードを使用することによりリアルタイムで取得される。このことは、標準の間の無線リソースについての統一されたアーキテクチャの協調最適化を実現し、従って、無線ネットワークリソースの利用率を最大化することができる。
【０１５５】
従って、本発明の実施例による協調ノードでは、協調指示情報は、基地局又は基地局コントローラが協調指示情報に従ってネットワーク間協調動作を実行するために、異なる標準のセルの状態情報に従って異なる標準のセルの基地局又は基地局コントローラに送信される。このことは、無線ネットワークリソースの利用率を最大化させることができ、従って、ネットワーク性能を改善することができる。
【０１５６】
本発明の実施例では、任意選択で、取得モジュール310は、基地局又は基地局コントローラにより周期的に送信される状態情報を受信するように、或いは、無線リソース状態が変化したときに基地局又は基地局コントローラにより送信される状態情報を受信するように、或いは、基地局又は基地局コントローラにより協調ノードの状態情報を要求する要求メッセージに応答することによって送信された状態情報を受信するように特に構成される。
【０１５７】
本発明の実施例では、図９に示すように、任意選択で、協調ノード300は、基地局又は基地局コントローラを見つけて、基地局又は基地局コントローラとの接続を確立する接続確立モジュール330を更に含む。
【０１５８】
本発明の実施例では、任意選択で、協調指示情報は、周辺セルパラメータ、ハンドオーバ閾値、キャンピングパラメータ、電力パラメータ及び負荷閾値のうち少なくとも１つを含み、送信モジュール320は、異なる標準のセルの無線リソースの利用率が第１の予め設定された閾値に到達した場合、協調指示情報を基地局又は基地局コントローラに送信するように特に構成される。
【０１５９】
本発明の実施例による協調ノードでは、異なる標準のセルの無線リソースの集権化された最適化が実行される。このことは、無線ネットワークリソースの利用率を最大化させることができ、従って、ネットワーク性能を改善することができる。
【０１６０】
本発明の実施例では、任意選択で、協調指示情報は、進化型基地局（eNodeB）の物理セルアイデンティティ（PCI）、eNodeBのランダムアクセスチャネル（RACH）系列、周辺セルパラメータ、ハンドオーバ閾値、キャンピングパラメータ、電力パラメータ及び負荷閾値のうち少なくとも１つを含み、送信モジュール320は、ロング・ターム・エボリューション（LTE）セルの無線リソースの利用率が第２の予め設定された閾値に到達した場合、協調指示情報をeNodeBに送信するように特に構成される。
【０１６１】
本発明の実施例による協調ノードでは、LTEネットワークの無線リソースの集権化された最適化が実行される。このことは、LTEネットワークリソースの利用率を最大化させることができ、従って、ネットワーク性能を改善することができる。
【０１６２】
本発明の実施例では、任意選択で、送信モジュール320は、異なる標準のセルがサービスベアラを調整するために、異なる標準のセルの無線リソース状態、ユーザ優先度及びサービス種別のうち少なくとも１つに従って、サービスベアラ調整指示を基地局又は基地局コントローラに送信するように特に構成される。
【０１６３】
任意選択で、送信モジュール320は、LTEシステムのセルの負荷情報に従って、エッジユーザにより使用される周波数リソースを、負荷が予め設定された閾値より高いセルの基地局に送信するように特に構成される。
【０１６４】
任意選択で、送信モジュール320は、異なる標準のセルの負荷状況に従って、周波数ポイントの一部のセル又は標準の一部のセルをシャットダウンする指示情報を基地局又は基地局コントローラに送信するように、或いは、シャットダウンされたセルを開始する指示情報を基地局又は基地局コントローラに送信するように特に構成される。
【０１６５】
任意選択で、送信モジュール320は、LTEシステムのマクロ基地局及びマイクロ基地局のユーザサービス状況に従って、オールモスト・ブランク・サブフレーム（ABS）構成情報をマクロ基地局又はマイクロ基地局に送信するように特に構成される。
【０１６６】
任意選択で、送信モジュール320は、LTEシステムのセルのPCIコンフリクト状況に従って、コンフリクトしないPCIをPCIがコンフリクトするセルの基地局に送信するように特に構成される。
【０１６７】
本発明の実施例では、図１０に示すように、任意選択で、協調ノード300は、LTE周辺セル関係に従ってGSM又はUMTS周辺セル関係を構成するように、或いは、GSM周辺セル関係に従ってUMTS又はLTE周辺セル関係を構成するように、或いは、UMTS周辺セル関係に従ってGSM又はLTE周辺セル関係を構成するように構成された構成モジュール340を更に含む。
【０１６８】
本発明の実施例による協調ノードでは、協調指示情報は、異なる標準のセルの状態情報に従って異なるサービス特性に基づいて柔軟に構成される。このことは、無線ネットワークリソースの利用率を最大化させることができ、ネットワーク性能及びユーザ経験を改善することができる。
【０１６９】
本発明の実施例による協調ノード300は、本発明の実施例によるネットワーク間協調方法における協調ノードに対応してもよく、協調ノード300の各モジュールの前述及び他の動作及び／又は機能は、それぞれ図１〜図７の方法の対応する手順を実現することを意図しており、詳細はここでは繰り返し説明されない。
【０１７０】
図１１は、本発明の実施例によるネットワーク側デバイス400の概略ブロック図を示している。ネットワーク側デバイス400は、異なる標準のセルの基地局又は基地局コントローラであり、図１１に示すように、ネットワーク側デバイス400は、協調ノードにより送信された協調指示情報を受信するように構成された受信モジュール410であり、協調指示情報は、異なる標準のセルの状態情報に従って協調ノードにより決定され、状態情報は、異なる標準のセルの無線リソース状態、端末分布、及びサービス状況のうち少なくとも１つを示す受信モジュール410と、協調指示情報に従ってネットワーク間協調動作を実行するように構成された実行モジュール420とを含む。
【０１７１】
本発明の実施例によるネットワーク側デバイスでは、ネットワーク間協調動作は、協調ノードにより送信された協調指示情報に従って実行される。このことは、無線ネットワークリソースの利用率を最大化させることができ、従って、ネットワーク性能を改善することができる。
【０１７２】
本発明の実施例では、図１２に示すように、任意選択で、ネットワーク側デバイス400は、状態情報を協調ノードに周期的に送信するように、或いは、無線リソース状態が変化したときに状態情報を協調ノードに送信するように、或いは、協調ノードの状態情報を要求する要求メッセージに応答することにより状態情報を協調ノードに送信するように構成された送信モジュール430を更に含む。
【０１７３】
本発明の実施例では、図１３に示すように、任意選択で、ネットワーク側デバイス400は、協調ノードを見つけて、協調ノードと接続を確立するように構成された接続確立モジュール440を更に含む。
【０１７４】
任意選択で、協調指示情報は、周辺セルパラメータ、ハンドオーバ閾値、キャンピングパラメータ、電力パラメータ及び負荷閾値のうち少なくとも１つを含み、受信モジュール410は、異なる標準のセルの無線リソースの利用率が第１の予め設定された閾値に到達した場合、協調ノードにより送信された協調指示情報を受信するように特に構成される。
【０１７５】
任意選択で、協調指示情報は、進化型基地局（eNodeB）の物理セルアイデンティティ（PCI）、eNodeBのランダムアクセスチャネル（RACH）系列、周辺セルパラメータ、ハンドオーバ閾値、キャンピングパラメータ、電力パラメータ及び負荷閾値のうち少なくとも１つを含み、ネットワーク側デバイス400は、eNodeBであり、受信モジュール410は、ロング・ターム・エボリューション（LTE）セルの無線リソースの利用率が第２の予め設定された閾値に到達した場合、協調ノードにより送信された協調指示情報を受信するように特に構成される。
【０１７６】
任意選択で、協調指示情報は、異なる標準のセルの無線リソース状態、ユーザ優先度及びサービス種別のうち少なくとも１つに従って協調ノードにより決定されたサービスベアラ調整指示を含み、実行モジュール420は、協調指示情報に従ってサービスベアラを調整するように特に構成される。
【０１７７】
任意選択で、協調指示情報は、負荷が予め設定された閾値より高いセルの協調ノードによりLTEシステムのセルの負荷情報に従って決定された、エッジユーザにより使用される周波数リソースを含む。
【０１７８】
任意選択で、協調指示情報は、異なる標準のセルの負荷状況に従って協調ノードにより送信された、周波数ポイントの一部のセル若しくは標準の一部のセルをシャットダウンする指示情報、又はシャットダウンされたセルを開始する指示情報を含む。
【０１７９】
任意選択で、協調指示情報は、LTEシステムのマクロ基地局及びマイクロ基地局のユーザサービス状況に従って協調ノードにより決定されたオールモスト・ブランク・サブフレーム（ABS）構成情報を含む。
【０１８０】
任意選択で、協調指示情報は、LTEシステムのセルのPCIコンフリクト状況に従って協調ノードにより決定されたコンフリクトしないPCIを含む。
【０１８１】
本発明の実施例によるネットワーク側デバイスでは、協調指示情報は、異なる標準のセルの状態情報に従って異なるサービス特性に基づいて柔軟に構成される。このことは、無線ネットワークリソースの利用率を最大化させることができ、ネットワーク性能及びユーザ経験を改善することができる。
【０１８２】
本発明の実施例によるネットワーク側デバイス400は、本発明の実施例によるネットワーク間協調方法における基地局又は基地局コントローラに対応してもよく、ネットワーク側デバイス400の各モジュールの前述及び他の動作及び／又は機能は、それぞれ図１〜図７の方法の対応する手順を実現することを意図しており、詳細はここでは繰り返し説明されない。
【０１８３】
図１４は、本発明の他の実施例による協調ノード500の概略ブロック図を示している。図１４に示すように、協調ノード500は、異なる標準のセルの状態情報を取得するように構成された受信機510であり、状態情報は、異なる標準のセルの無線リソース状態、端末分布、及びサービス状況のうち少なくとも１つを示す受信機510と、状態情報に従って、協調指示情報を決定するように構成されたプロセッサ520と、基地局又は基地局コントローラが協調指示情報に従ってネットワーク間協調動作を実行するために、協調指示情報を異なる標準のセルの基地局又は基地局コントローラに送信するように構成された送信機530とを含む。
【０１８４】
本発明の実施例による協調ノードでは、協調指示情報は、基地局又は基地局コントローラが協調指示情報に従ってネットワーク間協調動作を実行するために、異なる標準のセルの状態情報に従って異なる標準のセルの基地局又は基地局コントローラに送信される。このことは、無線ネットワークリソースの利用率を最大化させることができ、従って、ネットワーク性能を改善することができる。
【０１８５】
任意選択で、受信機510は、基地局又は基地局コントローラにより周期的に送信される状態情報を受信するように、或いは、無線リソース状態が変化したときに基地局又は基地局コントローラにより送信される状態情報を受信するように、或いは、基地局又は基地局コントローラにより協調ノードの状態情報を要求する要求メッセージに応答することによって送信された状態情報を受信するように特に構成される。
【０１８６】
任意選択で、プロセッサ520は、基地局又は基地局コントローラを見つけて、基地局又は基地局コントローラとの接続を確立するように更に構成される。
【０１８７】
任意選択で、協調指示情報は、周辺セルパラメータ、ハンドオーバ閾値、キャンピングパラメータ、電力パラメータ及び負荷閾値のうち少なくとも１つを含む。
【０１８８】
プロセッサ520は、異なる標準のセルの無線リソースの利用率が第１の予め設定された閾値に到達した場合、協調指示情報を決定するように特に構成される。
【０１８９】
本発明の実施例による協調ノードでは、異なる標準のセルの無線リソースの集権化された最適化が実行される。このことは、無線ネットワークリソースの利用率を最大化させることができ、従って、ネットワーク性能を改善することができる。
【０１９０】
任意選択で、協調指示情報は、進化型基地局（eNodeB）の物理セルアイデンティティ（PCI）、eNodeBのランダムアクセスチャネル（RACH）系列、周辺セルパラメータ、ハンドオーバ閾値、キャンピングパラメータ、電力パラメータ及び負荷閾値のうち少なくとも１つを含み、プロセッサ520は、ロング・ターム・エボリューション（LTE  ）セルの無線リソースの利用率が第２の予め設定された閾値に到達した場合、協調指示情報を決定するように特に構成され、送信機530は、協調指示情報をeNodeBに送信するように特に構成される。
【０１９１】
本発明の実施例による協調ノードでは、LTEネットワークの無線リソースの集権化された最適化が実行される。このことは、LTEネットワークリソースの利用率を最大化させることができ、従って、ネットワーク性能を改善することができる。
【０１９２】
任意選択で、プロセッサ520は、異なる標準のセルの無線リソース状態、ユーザ優先度及びサービス種別のうち少なくとも１つに従って、サービスベアラ指示を決定するように特に構成され、送信機530は、異なる標準のセルがサービスベアラを調整するために、サースベアラ調整指示を基地局又は基地局コントローラに送信するように特に構成される。
【０１９３】
任意選択で、プロセッサ520は、LTEシステムのセルの負荷情報に従って、負荷が予め設定された閾値より高いセルのエッジユーザにより使用される周波数リソースを決定するように特に構成され、送信機530は、エッジユーザにより使用される周波数リソースを、負荷が予め設定された閾値より高いセルの基地局に送信するように特に構成される。
【０１９４】
任意選択で、プロセッサ520は、異なる標準のセルの負荷状況に従って、周波数ポイントの一部のセル若しくは標準の一部のセルをシャットダウンする指示情報、又はシャットダウンされたセルを開始する指示情報を決定するように特に構成され、送信機530は、周波数ポイントの一部のセル若しくは標準の一部のセルをシャットダウンする指示情報を基地局又は基地局コントローラに送信するように、或いは、シャットダウンされたセルを開始する指示情報を基地局又は基地局コントローラに送信するように特に構成される。
【０１９５】
任意選択で、プロセッサ520は、LTEシステムのマクロ基地局及びマイクロ基地局のユーザサービス状況に従って、オールモスト・ブランク・サブフレーム（ABS）構成情報を決定するように特に構成され、送信機530は、ABS構成情報をマクロ基地局又はマイクロ基地局に送信するように特に構成される。
【０１９６】
任意選択で、プロセッサ520は、LTEシステムのセルのPCIコンフリクト状況に従って、PCIがコンフリクトするセルのためのコンフリクトしないPCIを決定するように特に構成され、送信機530は、コンフリクトしないPCIをPCIがコンフリクトするセルの基地局に送信するように特に構成される。
【０１９７】
任意選択で、プロセッサ520は、LTE周辺セル関係に従ってGSM又はUMTS周辺セル関係を構成するように、或いは、GSM周辺セル関係に従ってUMTS又はLTE周辺セル関係を構成するように、或いは、UMTS周辺セル関係に従ってGSM又はLTE周辺セル関係を構成するように更に構成される。
【０１９８】
本発明の実施例による協調ノードでは、協調指示情報は、異なる標準のセルの状態情報に従って異なるサービス特性に基づいて柔軟に構成される。このことは、無線ネットワークリソースの利用率を最大化させることができ、ネットワーク性能及びユーザ経験を改善することができる。
【０１９９】
本発明の実施例による協調ノード500は、本発明の実施例によるネットワーク間協調方法における協調ノードに対応してもよく、協調ノード500の各モジュールの前述及び他の動作及び／又は機能は、それぞれ図１〜図７の方法の対応する手順を実現することを意図しており、詳細はここでは繰り返し説明されない。
【０２００】
図１５は、本発明の他の実施例によるネットワーク側デバイス600の概略ブロック図である。ネットワーク側デバイス600は、異なる標準のセルの基地局又は基地局コントローラであり、図１５に示すように、ネットワーク側デバイス600は、協調ノードにより送信された協調指示情報を受信するように構成された受信機610であり、協調指示情報は、異なる標準のセルの状態情報に従って協調ノードにより決定され、状態情報は、異なる標準のセルの無線リソース状態、端末分布、及びサービス状況のうち少なくとも１つを示す受信機610と、協調指示情報に従ってネットワーク間協調動作を実行するように構成されたプロセッサ620とを含む。
【０２０１】
本発明の実施例によるネットワーク側デバイスでは、ネットワーク間協調動作は、協調ノードにより送信された協調指示情報に従って実行される。このことは、無線ネットワークリソースの利用率を最大化させることができ、従って、ネットワーク性能を改善することができる。
【０２０２】
本発明の実施例では、図１５に示すように、任意選択で、ネットワーク側デバイス600は、状態情報を協調ノードに周期的に送信するように、或いは、無線リソース状態が変化したときに状態情報を協調ノードに送信するように、或いは、協調ノードの状態情報を要求する要求メッセージに応答することにより状態情報を協調ノードに送信するように構成された送信機630を更に含む。
【０２０３】
任意選択で、プロセッサ620は、協調ノードを見つけて、協調ノードと接続を確立するように更に構成される。
【０２０４】
任意選択で、協調指示情報は、周辺セルパラメータ、ハンドオーバ閾値、キャンピングパラメータ、電力パラメータ及び負荷閾値のうち少なくとも１つを含み、受信機610は、異なる標準のセルの無線リソースの利用率が第１の予め設定された閾値に到達した場合、協調ノードにより送信された協調指示情報を受信するように特に構成される。
【０２０５】
任意選択で、協調指示情報は、進化型基地局（eNodeB）の物理セルアイデンティティ（PCI）、eNodeBのランダムアクセスチャネル（RACH）系列、周辺セルパラメータ、ハンドオーバ閾値、キャンピングパラメータ、電力パラメータ及び負荷閾値のうち少なくとも１つを含み、ネットワーク側デバイス600は、eNodeBであり、受信機610は、ロング・ターム・エボリューション（LTE）セルの無線リソースの利用率が第２の予め設定された閾値に到達した場合、協調ノードにより送信された協調指示情報を受信するように特に構成される。
【０２０６】
任意選択で、協調指示情報は、異なる標準のセルの無線リソース状態、ユーザ優先度及びサービス種別のうち少なくとも１つに従って協調ノードにより決定されたサービスベアラ調整指示を含み、プロセッサ620は、協調指示情報に従ってサービスベアラを調整するように特に構成される。
【０２０７】
任意選択で、協調指示情報は、負荷が予め設定された閾値より高いセルの協調ノードによりLTEシステムのセルの負荷情報に従って決定された、エッジユーザにより使用される周波数リソースを含む。
【０２０８】
任意選択で、協調指示情報は、異なる標準のセルの負荷状況に従って協調ノードにより送信された、周波数ポイントの一部のセル若しくは標準の一部のセルをシャットダウンする指示情報、又はシャットダウンされたセルを開始する指示情報を含む。
【０２０９】
任意選択で、協調指示情報は、LTEシステムのマクロ基地局及びマイクロ基地局のユーザサービス状況に従って協調ノードにより決定されたオールモスト・ブランク・サブフレーム（ABS）構成情報を含む。
【０２１０】
任意選択で、協調指示情報は、LTEシステムのセルのPCIコンフリクト状況に従って協調ノードにより決定されたコンフリクトしないPCIを含む。
【０２１１】
本発明の実施例によるネットワーク側デバイスでは、協調指示情報は、異なる標準のセルの状態情報に従って異なるサービス特性に基づいて柔軟に構成される。このことは、無線ネットワークリソースの利用率を最大化させることができ、ネットワーク性能及びユーザ経験を改善することができる。
【０２１２】
本発明の実施例によるネットワーク側デバイス600は、本発明の実施例によるネットワーク間協調方法における基地局又は基地局コントローラに対応してもよく、ネットワーク側デバイス600の各モジュールの前述及び他の動作及び／又は機能は、それぞれ図１〜図７の方法の対応する手順を実現することを意図しており、詳細はここでは繰り返し説明されない。
【０２１３】
本発明の実施例では、“及び／又は”という用語は、関連する対象物の間の結合関係を記載しているに過ぎず、３つの関係が存在し得ることを示す。例えば、A及び／又はBは、Aが個別に存在すること、AとBとの双方が存在すること、Bが個別に存在することを示してもよい。更に、この明細書における“／”という記号は、一般的にこの記号の前後の関連する対象物が“又は”の関係にあることを示す。
【０２１４】
当業者は、この明細書に開示された実施例に記載の例と組み合わせて、ユニット及びアルゴリズムのステップが電子ハードウェア、コンピュータソフトウェア又はこれらの組み合わせにより実現されてもよいことを認識し得る。ハードウェアとソフトウェアとの互換性を明確に説明するために、前述では、一般的に、機能に従ってそれぞれの例の構成及びステップについて説明した。機能がハードウェアにより実行されるかソフトウェアにより実行されるかは、技術的対策の特定の用途及び設計上の制約条件に依存する。当業者は、それぞれの特定の用途について記載の機能を実現するために異なる方法を使用してもよく、この実現が本発明の範囲を超えるものとして考えられるべきではない。
【０２１５】
便宜的又は簡潔な説明のため、前述のシステム、装置及びユニットの詳細な動作処理について、前述の方法の実施例の対応する処理に参照が行われてもよいことが当業者により明確に分かる。詳細はここでは再び説明しない。
【０２１６】
この出願で提供される複数の実施例では、開示のシステム、装置及び方法は他の方式で実現されてもよいことが分かる。例えば、記載の装置の実施例は、単なる例示である。例えば、ユニットの分割は、単に論理的な機能分割であり、実際の実現では他の分割でもよい。例えば、複数のユニット又はコンポーネントは結合されてもよく、他のシステムに統合されてもよく、いくつかの機能が無視されてもよく実行されなくてもよい。更に、表示又は説明した相互結合若しくは直接結合又は通信接続は、いくつかのインタフェースを通じて実現されてもよい。デバイス又はユニットの間の間接結合又は通信接続は、電気的、機械的又は他の形式で実現されてもよい。
【０２１７】
別々のユニットとして記載したユニットは、物理的に別々でもよく別々でなくてもよい。ユニットとして表示された部分は、物理的なユニットでもよく物理的なユニットでなくてもよく、１つの位置に存在してもよく、複数のネットワークユニットに分散されてもよい。ユニットの一部又は全部は、実施例の対策の目的を実現するために、実際のニーズに従って選択されてもよい。
【０２１８】
更に、本発明の実施例における機能ユニットは、１つの処理ユニットに統合されてもよく、ユニットのそれぞれが物理的に単独で存在してもよく、２つ以上のユニットが１つのユニットに統合されてもよい。統合されたユニットは、ハードウェアの形式で実現されてもよく、ソフトウェアの機能ユニットの形式で実現されてもよい。
【０２１９】
統合されたモジュール又はユニットがソフトウェア機能ユニットの形式で実現され、独立したプロダクトとして販売又は使用される場合、統合されたユニットは、コンピュータ読み取り可能記憶媒体に記憶されてもよい。このような理解に基づいて、基本的に本発明の技術的対策若しくは従来技術に寄与する部分、又は技術的対策の全部若しくは一部は、ソフトウェアプロダクトの形式で実現されてもよい。コンピュータソフトウェアプロダクトは、記憶媒体に記憶され、コンピュータデバイス（パーソナルコンピュータ、サーバ又はネットワークデバイス等でもよい）に対して本発明の実施例に記載の方法のステップの一部又は全部を実行するように命令する複数の命令を含む。前述の記憶媒体は、USBフラッシュドライブ、取り外し可能ハードディスク、読み取り専用メモリ（ROM、Read-Only  Memory）、ランダムアクセスメモリ（RAM、Random  Access  Memory）、磁気ディスク又は光ディスクのようなプログラムコードを記憶し得るいずれかの媒体を含む。
【０２２０】
前述の説明は本発明の単に特定の実施例に過ぎず、本発明の保護範囲を限定することを意図するものではない。本発明の技術的範囲内で当業者により容易に認識される如何なる等価な変更又は置換も、本発明の保護範囲内に入るものとする。従って、本発明の保護範囲は、特許請求の範囲の保護範囲に従うものとする。
【図１】
2016502334.tif 000003
【図２】
2016502334.tif 000004
【図３】
2016502334.tif 000005
【図４】
2016502334.tif 000006
【図５】
2016502334.tif 000007
【図６】
2016502334.tif 000008
【図７】
2016502334.tif 000009
【図８】
2016502334.tif 000010
【図９】
2016502334.tif 000011
【図１０】
2016502334.tif 000012
【図１１】
2016502334.tif 000013
【図１２】
2016502334.tif 000014
【図１３】
2016502334.tif 000015
【図１４】
2016502334.tif 000016
【図１５】
2016502334.tif 000017
【手続補正書】
【提出日】平成27年7月17日(2015.7.17)
【手続補正１】
【補正対象書類名】特許請求の範囲
【補正対象項目名】全文
【補正方法】変更
【補正の内容】
【特許請求の範囲】
【請求項１】
協調ノードにより、異なる標準のセルの状態情報を取得するステップであり、前記状態情報は、前記異なる標準の前記セルの無線リソース状態、端末分布、及びサービス状況のうち少なくとも１つを示すステップと、
前記協調ノードにより、基地局又は基地局コントローラに対して協調指示情報に従ってネットワーク間協調動作を実行するように命令するために、前記状態情報に従って、協調指示情報を前記異なる標準の前記セルの基地局又は前記異なる標準の前記セルの基地局コントローラに送信するステップと
を有するネットワーク間協調方法。
【請求項２】
前記協調ノードにより、異なる標準のセルの状態情報を取得するステップは、
前記協調ノードにより、前記基地局又は前記基地局コントローラにより周期的に送信される前記状態情報を受信するステップ、或いは、
前記協調ノードにより、無線リソース状態が変化した状況で前記基地局又は前記基地局コントローラにより送信される前記状態情報を受信するステップ、或いは、
前記協調ノードにより、前記状態情報を要求する要求メッセージを前記基地局又は前記基地局コントローラに送信し、前記基地局又は前記基地局コントローラにより前記要求メッセージに応答することによって送信された前記状態情報を受信するステップ
を有する、請求項１に記載の方法。
【請求項３】
異なる標準のセルの状態情報を取得する前に、前記方法は、
前記協調ノードにより、前記基地局又は前記基地局コントローラを見つけて、前記基地局又は前記基地局コントローラとの接続を確立するステップを更に有する、請求項１又は２に記載の方法。
【請求項４】
前記協調指示情報は、周辺セルパラメータ、ハンドオーバ閾値、キャンピングパラメータ、電力パラメータ及び負荷閾値のうち少なくとも１つを有し、
前記協調ノードにより、前記状態情報に従って、協調指示情報を前記異なる標準の前記セルの基地局又は基地局コントローラに送信するステップは、
前記異なる標準の前記セルのうち少なくとも１つについての無線リソースの利用率が第１の予め設定された閾値に到達した場合、前記協調指示情報を前記基地局又は前記基地局コントローラに送信するステップを有する、請求項１ないし３のうちいずれか１項に記載の方法。
【請求項５】
前記協調指示情報は、進化型基地局（eNodeB）の物理セルアイデンティティ（PCI）、eNodeBのランダムアクセスチャネル（RACH）系列、周辺セルパラメータ、ハンドオーバ閾値、キャンピングパラメータ、電力パラメータ及び負荷閾値のうち少なくとも１つを有し、
前記状態情報に従って、協調指示情報を前記異なる標準の前記セルの基地局又は基地局コントローラに送信するステップは、
ロング・ターム・エボリューション（LTE）セルの無線リソースの利用率が第２の予め設定された閾値に到達した場合、前記協調指示情報をeNodeBに送信するステップを有し、LTEは、前記異なる標準の１つである、請求項１ないし３のうちいずれか１項に記載の方法。
【請求項６】
前記状態情報に従って、協調指示情報を前記異なる標準の前記セルの基地局又は基地局コントローラに送信するステップは、
前記協調ノードにより、前記異なる標準の前記セルに対してサービスベアラを調整するように命令するために、前記異なる標準の前記セルの無線リソース状態、ユーザ優先度及びサービス種別のうち少なくとも１つに従って、サービスベアラ調整指示を前記基地局又は前記基地局コントローラに送信するステップを有する、請求項１ないし３のうちいずれか１項に記載の方法。
【請求項７】
前記状態情報に従って、協調指示情報を前記異なる標準の前記セルの基地局又は基地局コントローラに送信するステップは、
前記協調ノードにより、LTEシステムのセルの負荷情報に従って、エッジユーザにより使用される周波数リソースを、負荷が予め設定された閾値より高いセルの基地局に送信するステップを有し、LTEは、前記異なる標準の１つである、請求項１ないし３のうちいずれか１項に記載の方法。
【請求項８】
ネットワークデバイスにより、協調ノードにより送信された協調指示情報を受信するステップであり、前記協調指示情報は、異なる標準のセルの状態情報に従って前記協調ノードにより決定され、前記状態情報は、前記異なる標準の前記セルの無線リソース状態、端末分布、及びサービス状況のうち少なくとも１つを示すステップと、
前記ネットワークデバイスにより、前記協調指示情報に従ってネットワーク間協調動作を実行するステップと
を有する方法。
【請求項９】
協調ノードにより送信された協調指示情報を受信する前に、前記方法は、
前記ネットワークデバイスにより、前記状態情報を前記協調ノードに周期的に送信するステップ、或いは、
前記ネットワークデバイスにより、無線リソース状態が変化したときに前記状態情報を前記協調ノードに送信するステップ、或いは、
前記ネットワークデバイスにより、前記協調ノードにより送信された前記状態情報を要求する要求メッセージを受信し、前記要求メッセージに応答することにより前記状態情報を前記協調ノードに送信するステップ
を更に有する、請求項８に記載の方法。
【請求項１０】
協調ノードにより送信された協調指示情報を受信する前に、前記方法は、
前記ネットワークデバイスにより、前記協調ノードを見つけて、前記協調ノードと接続を確立するステップを更に有する、請求項８又は９に記載の方法。
【請求項１１】
前記協調指示情報は、周辺セルパラメータ、ハンドオーバ閾値、キャンピングパラメータ、電力パラメータ及び負荷閾値のうち少なくとも１つを有し、
前記ネットワークデバイスにより、協調ノードにより送信された協調指示情報を受信するステップは、
前記ネットワークデバイスが基地局又は基地局コントローラである場合、
前記異なる標準の前記セルの無線リソースの利用率が第１の予め設定された閾値に到達した状況で、前記異なる標準の前記セルの基地局又は基地局コントローラにより、前記協調ノードにより送信された前記協調指示情報を受信するステップを有する、請求項８ないし１０のうちいずれか１項に記載の方法。
【請求項１２】
異なる標準のセルの状態情報を取得するように構成された通信インタフェースであり、前記状態情報は、前記異なる標準の前記セルの無線リソース状態、端末分布、及びサービス状況のうち少なくとも１つを示す通信インタフェースと、
前記状態情報に従って、協調指示情報を決定するように構成されたプロセッサと
を有し、
前記通信インタフェースは、基地局又は基地局コントローラに対して前記協調指示情報に従ってネットワーク間協調動作を実行するように命令するために、前記協調指示情報を前記異なる標準の前記セルの基地局又は前記異なる標準の前記セルの基地局コントローラに送信するように構成される協調ノード。
【請求項１３】
前記通信インタフェースは、前記基地局又は前記基地局コントローラにより周期的に送信される前記状態情報を受信するように、或いは、無線リソース状態が変化した状況で前記基地局又は前記基地局コントローラにより送信される前記状態情報を受信するように、或いは、前記基地局又は前記基地局コントローラにより前記協調ノードの前記状態情報を要求する要求メッセージに応答することによって送信された前記状態情報を受信するように特に構成される、請求項１２に記載の協調ノード。
【請求項１４】
前記プロセッサは、前記基地局又は前記基地局コントローラを見つけて、前記基地局又は前記基地局コントローラとの接続を確立するように更に構成される、請求項１２又は１３に記載の協調ノード。
【請求項１５】
前記協調指示情報は、周辺セルパラメータ、ハンドオーバ閾値、キャンピングパラメータ、電力パラメータ及び負荷閾値のうち少なくとも１つを有し、
前記プロセッサは、前記異なる標準の前記セルのうち少なくとも１つについての無線リソースの利用率が第１の予め設定された閾値に到達した場合、前記協調指示情報を決定するように特に構成される、請求項１２ないし１４のうちいずれか１項に記載の協調ノード。
【請求項１６】
前記協調指示情報は、進化型基地局（eNodeB）の物理セルアイデンティティ（PCI）、eNodeBのランダムアクセスチャネル（RACH）系列、周辺セルパラメータ、ハンドオーバ閾値、キャンピングパラメータ、電力パラメータ及び負荷閾値のうち少なくとも１つを有し、
前記プロセッサは、ロング・ターム・エボリューション（LTE）セルの無線リソースの利用率が第２の予め設定された閾値に到達した場合、前記協調指示情報を決定するように特に構成され、
前記通信インタフェースは、前記協調指示情報をeNodeBに送信するように特に構成され、LTEは、前記異なる標準の１つである、請求項１２ないし１４のうちいずれか１項に記載の協調ノード。
【請求項１７】
前記プロセッサは、前記異なる標準の前記セルの無線リソース状態、ユーザ優先度及びサービス種別のうち少なくとも１つに従って、サービスベアラ調整指示を決定するように特に構成され、
前記通信インタフェースは、前記異なる標準の前記セルに対してサービスベアラを調整するように命令するために、前記サービスベアラ調整指示を前記基地局又は前記基地局コントローラに送信するように特に構成される、請求項１２ないし１４のうちいずれか１項に記載の協調ノード。
【請求項１８】
前記プロセッサは、LTEシステムのセルの負荷情報に従って、負荷が予め設定された閾値より高いセルのエッジユーザにより使用される周波数リソースを決定するように特に構成され、
前記通信インタフェースは、前記エッジユーザにより使用される前記周波数リソースを、前記負荷が前記予め設定された閾値より高い前記セルの基地局に送信するように特に構成され、LTEは、前記異なる標準の１つである、請求項１２ないし１４のうちいずれか１項に記載の協調ノード。
【請求項１９】
前記プロセッサは、前記異なる標準の前記セルの負荷状況に従って、周波数ポイントの一部のセル若しくは標準の一部のセルをシャットダウンする指示情報、又はシャットダウンされたセルを開始する指示情報を決定するように特に構成され、
前記通信インタフェースは、周波数ポイントの一部のセル若しくは標準の一部のセルをシャットダウンする前記指示情報を前記基地局又は前記基地局コントローラに送信するように、或いは、シャットダウンされたセルを開始する前記指示情報を前記基地局又は前記基地局コントローラに送信するように特に構成される、請求項１２ないし１４のうちいずれか１項に記載の協調ノード。
【請求項２０】
前記プロセッサは、LTEシステムのマクロ基地局及びマイクロ基地局のユーザサービス状況に従って、オールモスト・ブランク・サブフレーム（ABS）構成情報を決定するように特に構成され、
前記通信インタフェースは、前記ABS構成情報を前記マクロ基地局又は前記マイクロ基地局に送信するように特に構成される、請求項１２ないし１４のうちいずれか１項に記載の協調ノード。
【請求項２１】
前記プロセッサは、LTEシステムのセルのPCIコンフリクト状況に従って、PCIがコンフリクトするセルのためのコンフリクトしないPCIを決定するように特に構成され、
前記通信インタフェースは、前記コンフリクトしないPCIを前記PCIがコンフリクトするセルの基地局に送信するように特に構成される、請求項１２ないし１４のうちいずれか１項に記載の協調ノード。
【請求項２２】
前記プロセッサは、LTE周辺セル関係に従ってGSM又はUMTS周辺セル関係を構成するように、或いは、GSM周辺セル関係に従ってUMTS又はLTE周辺セル関係を構成するように、或いは、UMTS周辺セル関係に従ってGSM又はLTE周辺セル関係を構成するように更に構成される、請求項１２ないし１４のうちいずれか１項に記載の協調ノード。
【請求項２３】
異なる標準のセルの基地局又は基地局コントローラであるネットワーク側デバイスであって、
協調ノードにより送信された協調指示情報を受信するように構成された通信インタフェースであり、前記協調指示情報は、異なる標準のセルの状態情報に従って前記協調ノードにより決定され、前記状態情報は、前記異なる標準の前記セルの無線リソース状態、端末分布、及びサービス状況のうち少なくとも１つを示す通信インタフェースと、
前記協調指示情報に従ってネットワーク間協調動作を実行するように構成されたプロセッサと
を有するネットワーク側デバイス。
【請求項２４】
前記ネットワーク側デバイスは、前記状態情報を前記協調ノードに周期的に送信するように、或いは、無線リソース状態が変化したときに前記状態情報を前記協調ノードに送信するように、或いは、前記協調ノードの前記状態情報を要求する要求メッセージに応答することにより前記状態情報を前記協調ノードに送信するように構成された通信インタフェースを更に有する、請求項２３に記載のネットワーク側デバイス。
【請求項２５】
前記プロセッサは、前記協調ノードを見つけて、前記協調ノードと接続を確立するように更に構成される、請求項２３又は２４に記載のネットワーク側デバイス。
【請求項２６】
前記協調指示情報は、周辺セルパラメータ、ハンドオーバ閾値、キャンピングパラメータ、電力パラメータ及び負荷閾値のうち少なくとも１つを有し、
前記通信インタフェースは、前記異なる標準の前記セルの無線リソースの利用率が第１の予め設定された閾値に到達した状況で、前記協調ノードにより送信された前記協調指示情報を受信するように特に構成される、請求項２３ないし２５のうちいずれか１項に記載のネットワーク側デバイス。
【請求項２７】
前記協調指示情報は、進化型基地局（eNodeB）の物理セルアイデンティティ（PCI）、eNodeBのランダムアクセスチャネル（RACH）系列、周辺セルパラメータ、ハンドオーバ閾値、キャンピングパラメータ、電力パラメータ及び負荷閾値のうち少なくとも１つを有し、
前記ネットワーク側デバイスは、eNodeBであり、
前記通信インタフェースは、ロング・ターム・エボリューション（LTE）セルの無線リソースの利用率が第２の予め設定された閾値に到達した状況で、前記協調ノードにより送信された前記協調指示情報を受信するように特に構成される、請求項２３ないし２５のうちいずれか１項に記載のネットワーク側デバイス。
【請求項２８】
前記協調指示情報は、前記異なる標準の前記セルの無線リソース状態、ユーザ優先度及びサービス種別のうち少なくとも１つに従って前記協調ノードにより決定されたサービスベアラ調整指示を有し、
前記プロセッサは、前記協調指示情報に従ってサービスベアラを調整するように特に構成される、請求項２３に記載のネットワーク側デバイス。
【請求項２９】
前記協調指示情報は、負荷が予め設定された閾値より高いセルの前記協調ノードによりLTEシステムのセルの負荷情報に従って決定された、エッジユーザにより使用される周波数リソースを有し、LTEは、前記異なる標準の１つである、請求項２３に記載のネットワーク側デバイス。
【請求項３０】
前記協調指示情報は、前記異なる標準の前記セルの負荷状況に従って前記協調ノードにより送信された、周波数ポイントの一部のセル若しくは標準の一部のセルをシャットダウンする指示情報、又はシャットダウンされたセルを開始する指示情報を有する、請求項２３に記載のネットワーク側デバイス。
【請求項３１】
前記協調指示情報は、LTEシステムのマクロ基地局及びマイクロ基地局のユーザサービス状況に従って前記協調ノードにより決定されたオールモスト・ブランク・サブフレーム（ABS）構成情報を有する、請求項２３に記載のネットワーク側デバイス。
【請求項３２】
前記協調指示情報は、LTEシステムのセルのPCIコンフリクト状況に従って前記協調ノードにより決定されたコンフリクトしないPCIを有する、請求項２３に記載のネットワーク側デバイス。
【手続補正２】
【補正対象書類名】明細書
【補正対象項目名】０００２
【補正方法】変更
【補正の内容】
【０００２】
モバイルインテリジェント端末の大規模な適用と、無線通信帯域幅の増え続ける需要とにより、無線通信の分野は、新たな通信標準及びネットワーキング形態を次第に導入している。更に多くのオペレータは、グローバル・システム・フォー・モバイル・コミュニケーションズ（Global  System  for  Mobile  communication、略してGSM）、ユニバーサル・モバイル・テレコミュニケーションズ・システム（Universal  Mobile  Telecommunication  System、略してUMTS）及びロング・ターム・エボリューション（Long  Term  Evolution、略してLTE）を含むマルチ標準のマクロ・マイクロ・マルチレイヤネットワークの並列動作の姿勢を形成している。GSM及びUMSの３レイヤのアーキテクチャとは異なり、LTEのフラットなアーキテクチャでは、中央制御ノード（すなわち、基地局コントローラ）は取り消される。従って、一方では、LTE基地局の間の協調のためにX2インタフェースが導入される必要がある。このことは、LTEの単一の基地局の間の接続の数を５倍より多く増加させるが、リソースは依然としてネットワークレイヤで最適化できない。他方で、リソース使用状態は、LTE、GSM及びUMTSの間で効率的に交換できず、このことはまた、GSM、UMTS及びLTEでの１つのネットワークのキャパシティの最大化及び性能の最適化を制限する。ホットスポットエリアのマクロ・マイクロ・ネットワーキングの場合、スモールセルが主にマクロネットワークのマルチレイヤのカバレッジエリアに配置され、ネットワークキャパシティ及び端末顧客の経験を最も効率的に改善するために、複数のスモールセルとマルチレイヤのマクロネットワークとの間で効率的な協調が実行される必要がある。
【手続補正３】
【補正対象書類名】明細書
【補正対象項目名】０００３
【補正方法】変更
【補正の内容】
【０００３】
従来技術では、最適な使用のためにeNodeBの間の無線リソースを協調させるため、リソース及び状態情報は、LTEの進化型基地局（Evolved  Node  B、略してeNodeB）の間のX2インタフェースを通じて交換される。無線リソース及び状態情報は、LTEとGSM及びUMTSとの間の無線アクセスネットワーク（Radio  Access  Network、略してRAN）情報管理（RAN  Information  Management、略してRIM）シグナリングインタフェースを通じて交換される。無線リソース及び状態情報は、これらのインタフェースを通じてリソース使用の協調及び最適化を実行するために、GSMとUMTSとの間のIur-Gを通じて交換される。LTE  eNodeBの間のX2インタフェースを通じて無線リソース協調を実行するために、多数のX2インタフェースが各eNodeBに構成される必要があり、リソース協調の効率がX2インタフェース構成の精度及び効率にかなり依存することをもたらす。更に、各eNodeBは、情報発行元だけではなく、情報の収束分析エンティティでもあるため、情報交換は複雑であり、協調は困難である。RIMメッセージを使用することにより、セルレベルのシグナリング送信が主にLTEとGSM及びUMTSとの間で実行され、LTE  eNodeBは、リソース協調分析及び判断を実行するために、GSM及びUMTSのネットワークリソースの状況を取得する。コントローラ内でGSM及びUMTSのリソース協調分析及び判断を実行するために、シグナリング送信がコントローラのIur-Gインタフェースを通じてGSMとUMTSとの間で実行される。リソース協調分析及び分析は、異なるアーキテクチャの異なるエンティティを使用することにより、LTE、GSM及びUMTSの間で別々に実行される。状態の交換の後に、標準は評価を別々に行うため、統一されたノードにおいて全体ネットワークの傾向及び瞬時の変化を認識することができず、単一の標準が最適になるが、全体ネットワークは最適でなく、ネットワーク性能及びユーザ経験を改善するためにネットワークリソースが十分に使用できないという場合を生じる。無線リソース状態は、コアネットワークを通じて交換され、リソース協調は、無線ネットワークにおいて実施されず、コアネットワークと無線ネットワークとの間の密結合を形成する。このことは、バージョン更新において更なる不透明要因を引き起こし、ネットワークの安定性にとって良くない。
【手続補正４】
【補正対象書類名】明細書
【補正対象項目名】００２８
【補正方法】変更
【補正の内容】
【００２８】
第２の可能な実現方式では、第３の態様又は第３の態様の第１の可能な実現方式を参照して、協調ノードは、基地局又は基地局コントローラを見つけて、基地局又は基地局コントローラとの接続を確立するように構成された接続確立モジュールを更に含む。
【手続補正５】
【補正対象書類名】明細書
【補正対象項目名】００７０
【補正方法】変更
【補正の内容】
【００７０】
以下に、本発明の実施例の添付図面を参照して、本発明の実施例の技術的対策を説明する。明らかに、記載の実施例は、本発明の実施例の全てではなく、一部に過ぎない。創造的取り組みを行うことなく、本発明の実施例に基づいて当業者により得られる全ての他の実施例は、本発明の保護範囲内に入るものとする。
【手続補正６】
【補正対象書類名】明細書
【補正対象項目名】００７１
【補正方法】変更
【補正の内容】
【００７１】
本発明の実施例の技術的対策は、様々な通信システム（例えば、グローバル・システム・フォー・モバイル・テレコミュニケーションズ（Global  System  for  Mobile  communication、略してGSM）システム、符号分割多重アクセス（Code  Division  Multiple  Access、略してCDMA）システム、広帯域符号分割多重アクセス（Wideband  Code  Division  Multiple  Access、略してWCDMA）システム、汎用パケット無線サービス（General  Packet  Radio  Service、略してGPRS）、ロング・ターム・エボリューション（Long  Term  Evolution、略してLTE）システム、LTE周波数分割双方向（Frequency  Division  Duplex、略してFDD）システム、LTE時分割双方向（Time  Division  Duplex、略してTDD）、ユニバーサル・モバイル・テレコミュニケーションズ・システム（Universal  Mobile  Telecommunication  System、略してUMTS）、ワールドワイド・インターオペラビリティ・フォー・マイクロウェーブ・アクセス（Worldwide  Interoperability  for  Microwave  Access、略してWiMAX）通信システム等）に適用され得ることが分かる。
【手続補正７】
【補正対象書類名】明細書
【補正対象項目名】００７２
【補正方法】変更
【補正の内容】
【００７２】
本発明の実施例では、基地局は、GSM又はCDMAの基地局（Base  Transceiver  Station、略してBTS）でもよく、WCDMAの基地局（NodeB、略してNB）でもよく、LTEの進化型基地局（Evolved  Node  B、略してENB又はeNodeB）でもよく、本発明では限定されない。
【手続補正８】
【補正対象書類名】明細書
【補正対象項目名】００９１
【補正方法】変更
【補正の内容】
【００９１】
協調ノードは、様々な標準のセルの取得された状態情報に従って、エリア内のリソース状態及びサービス配信状況を分析し、無線リソースの利用率が予め設定された閾値に到達した場合、全体ネットワークを最適化するため、最適化手順を開始し、基地局又は基地局コントローラが協調指示情報に従ってネットワーク間協調動作を実行するために、協調指示情報を基地局又は基地局コントローラに送信する。
【手続補正９】
【補正対象書類名】明細書
【補正対象項目名】００９６
【補正方法】変更
【補正の内容】
【００９６】
協調ノードは、エリア内の無線リソースの利用率が第１の予め設定された閾値に到達したか否かを決定し、第１の予め設定された閾値に到達した場合、パラメータ最適化を開始し、基地局又は基地局コントローラが配信されたパラメータに従って協調動作を実行するために、最適化されたパラメータ（例えば、前述のパラメータのうち１つ以上）を基地局又は基地局コントローラに配信する。協調ノードにより送信されたパラメータを受信した後に、基地局又は基地局コントローラは、これらのパラメータに従って協調動作を実行し、例えば、ハンドオーバの実行又は電力の調整を行う。協調ノードは、最適化の後に効果を検出し、ターゲットに到達した場合、例えば、無線リソースの利用率がターゲットの値まで低減された場合、最適化を終了する。そうでない場合、最適化を再び実行し、新たなパラメータを基地局又は基地局コントローラに配信する。或いは、協調ノードは、エリア内の２つのセルの間のハンドオーバ成功率が低すぎるか否かを決定し、エリア内の２つのセルの間のハンドオーバ成功率が低すぎる場合、ハンドオーバパラメータを調整することによりハンドオーバパラメータ最適化を実行し、これらを基地局又は基地局コントローラに配信し、ハンドオーバ成功率が要件を満たすか否かを観測する。ハンドオーバ成功率が要件を満たさない場合、調整を続ける。ハンドオーバ成功率が要件を満たす場合、最適化を中止する。
【手続補正１０】
【補正対象書類名】明細書
【補正対象項目名】０１０５
【補正方法】変更
【補正の内容】
【０１０５】
協調ノードは、異なる標準のセルの状態情報に従ってサービスベアラ調整を実行してもよい。協調ノードは、ユーザ優先度、サービス種別及び無線リソース状態のうち１つ以上を包括的に決定し、基地局又は基地局コントローラがサービスベアラを調整するために、例えば、ハンドオーバ等を用いてサービスベアラを調整するために、サービスベアラ調整指示を基地局又は基地局コントローラに配信する。例えば、ネットワークが混雑している場合、協調ノードは、異なるデータパケット種別に従って制御命令を使用することにより、異なるサービスを異なるレイヤのネットワークに搬送し、例えば、スモールパケットのデータサービスをUMTSからGSMベアラに調整し、ラージパケットのダウンロードサービスをLTEに調整し、高速移動データサービスをUMTSベアラに調整する。或いは、サービス種別に従ってベアラを調整し、例えば、一律に音声サービスをGSMに調整し、ビデオサービスをLTEに調整し、インターネットアクセスをUMTSに調整する。或いは、ユーザ優先度に従ってベアラを調整し、例えば、優先的に高優先度のユーザをLTEで搬送し、中間優先度のユーザをUMTSで搬送し、低優先度をGSMで搬送する。前述の搬送ポリシーは、実際のネットワーク状況又はオペレータの料金ポリシーに従って動的に設定されてもよい。協調ノードは、ポリシーの協調実行エンティティとして機能し、主な利点は、ユーザ配信状況がリアルタイムのネットワーク負荷状況に従って動的に調整され得る点にある。
【手続補正１１】
【補正対象書類名】明細書
【補正対象項目名】０１１５
【補正方法】変更
【補正の内容】
【０１１５】
LTEのマクロセル及びマイクロセルが周波数内ネットワーキングを実行する場合、オールモスト・ブランク・サブフレーム（Almost  Blank  Sub-Frame、略してABS）リソースは、拡張セル間干渉協調（enhanced  inter-cell  interference  coordination、略してeICIC）技術を使用することにより、システム内のマイクロ基地局のエッジユーザのために割り当てられてもよい。eICIC技術は、スモールセルのカバレッジ範囲拡張技術（Range  Extension）と組み合わせて、マイクロ基地局が多くのユーザにサービス提供することを可能にし、従って、マイクロ基地局のエッジユーザの経験を改善する。ABSサブフレームは、マクロ基地局により使用することができず、従って、構成されるABSの数は、システムキャパシティを全体的に改善するために、マイクロセルラのエッジでサービス提供され得るユーザの数に従って決定される必要がある。本発明の実施例では、協調ノードは、マクロ基地局及びマイクロ基地局のサービス提供されるユーザ状況に従って集権化された分析及び判断を実行してもよく、各セルのABSサブフレームの構成を協調して調整する。このことは、マクロ基地局のサービス提供範囲を拡張し、システムキャパシティを全体的に改善する。
【国際調査報告】
2016502334.tif 000018
2016502334.tif 000019
2016502334.tif 000020
2016502334.tif 000021
2016502334.tif 000022
2016502334.tif 000023
2016502334.tif 000024